(57)【特許請求の範囲】
【請求項１】
グラフィカル・ユーザー・インターフェースを得るために、ソフトウェア・アプリケーションが端末のプロセッサで実行され、前記端末のディスプレイでレンダリングが実行される情報処理方法であって、前記プロセッサ、前記グラフィカル・ユーザー・インターフェース及び前記ソフトウェア・アプリケーションはゲーム・システムに実装されており、当該情報処理方法は：
少なくとも１つの仮想リソース・オブジェクトを得るために、前記グラフィカル・ユーザー・インターフェースでレンダリングを実行するステップ；
前記グラフィカル・ユーザー・インターフェースの少なくとも１つのスキル・オペレーション・エリアに位置する少なくとも１つのスキル・オブジェクトに関してスキル・リリース・トリガ・ジェスチャを検出した場合に、スキル・リリース補助制御オブジェクトを得るために、前記グラフィカル・ユーザー・インターフェースでレンダリングを実行するステップであって、前記スキル・リリース補助制御オブジェクトは、スキル・リリース制御ハロー・オブジェクトと、前記スキル・リリース制御ハロー・オブジェクトの放射状レンジ内に位置する仮想ジョイスティック・オブジェクトとを有する、ステップ；
前記仮想ジョイスティック・オブジェクト上でドラッグ・オペレーションを検出した場合、それに応じて前記スキル・オブジェクトのスキル・リリース位置を、前記グラフィカル・ユーザー・インターフェース内で調整するように制御するステップ；及び
前記仮想ジョイスティック・オブジェクトが閾レンジの外にあるか否かを判定し、前記仮想ジョイスティック・オブジェクトが前記閾レンジの外にない場合、前記ドラッグ・オペレーションについての検出されたリリース・オペレーションに従って、前記スキル・オブジェクトのスキル・リリース可能レンジ内の少なくとも１つのキャラクタ・オブジェクトの中から、第１プリセット・ポリシーを満足するターゲット・キャラクタ・オブジェクトを選択し、前記ターゲット・キャラクタ・オブジェクトに関してスキル・リリース・オペレーションを実行するステップ；
を有し、
ユーザーの指が触れた前記仮想ジョイスティック・オブジェクトは前記閾レンジの外にあるという判定結果である場合に、補助スキル・インジケータ・オブジェクトを得るために、前記グラフィカル・ユーザー・インターフェースでレンダリングを実行するステップであって、前記補助スキル・インジケータ・オブジェクトにより指定されるスキル・リリース可能レンジは、第１キャラクタ・オブジェクトの探索レンジである、ステップ；
ユーザー指リリース・ジェスチャを取得し、前記探索レンジ内の少なくとも１つの第１キャラクタ・オブジェクトの中から、第２プリセット・ポリシーを満足する第１キャラクタ・オブジェクトを、前記ターゲット・キャラクタ・オブジェクトとして選択するステップ；及び
前記探索レンジ内の前記ターゲット・キャラクタ・オブジェクトに関してスキル・リリース・オペレーションを実行するステップ；
を更に有する情報処理方法。
【請求項２】
ユーザーの指が触れた前記仮想ジョイスティック・オブジェクトは前記閾レンジの外にないという判定結果である場合に、ユーザー指リリース・ジェスチャを取得し、前記スキル・リリース可能レンジ内の前記ターゲット・キャラクタ・オブジェクトに関して前記スキル・リリース・オペレーションを実行することを放棄し、前記ターゲット・キャラクタ・オブジェクトが前記スキル・リリース可能レンジから発見されない場合に、第１プロンプト情報を表示するステップであって、前記第１プロンプト情報は、前記スキル・リリース可能レンジ内に選択可能なターゲット・キャラクタ・オブジェクトが存在しないことを表現するために使用される、ステップ；
を更に有する請求項１に記載の情報処理方法。
【請求項３】
前記スキル・リリース制御ハロー・オブジェクトの中心に対する前記仮想ジョイスティック・オブジェクトにより形成される第１相対方向を取得し、前記スキル・インジケータ・オブジェクトの中心点に至るコネクション・ラインを利用することにより、第１ターゲット選択方向ラインを前記第１相対方向の中で生成するステップ；及び
前記第１ターゲット選択方向ラインを中心として、或るプリセット角度を加える正及び負のオフセットに基づいて補助スキル・インジケータ・オブジェクトを形成するステップ；
を更に有する請求項１に記載の情報処理方法。
【請求項４】
前記探索レンジ内の少なくとも１つの第１キャラクタ・オブジェクトの中から、第２プリセット・ポリシーを満足する第１キャラクタ・オブジェクトを、前記ターゲット・キャラクタ・オブジェクトとして選択するステップは：
前記探索レンジが複数の第１キャラクタ・オブジェクトを含む場合に、前記第１ターゲット選択方向ラインまでの垂直距離が最短である第１キャラクタ・オブジェクトを、前記ターゲット・キャラクタ・オブジェクトとして選択し、前記ターゲット・キャラクタ・オブジェクトを強調するステップ；
を含む、請求項３に記載の情報処理方法。
【請求項５】
前記仮想ジョイスティック・オブジェクトの位置が前記スキル・リリース制御ハロー・オブジェクトの中心に対して変動したことが検出される度に、前記第１相対方向を第２相対方向にリフレッシュし、前記スキル・インジケータ・オブジェクトの中心点に至るコネクション・ラインを利用することにより、第２ターゲット選択方向ラインを前記第２相対方向の中で生成するステップ；及び
前記第２ターゲット選択方向ラインまでの垂直距離が最短である第１キャラクタ・オブジェクトを、前記ターゲット・キャラクタ・オブジェクトとして選択し、前記ターゲット・キャラクタ・オブジェクトを強調するステップであって、前記仮想ジョイスティック・オブジェクトが移動する度に前記ターゲット・キャラクタ・オブジェクトを再決定及びリフレッシュし、リフレッシュにより得られる新たなターゲット・キャラクタ・オブジェクトを強調するステップ；
を更に有する請求項４に記載の情報処理方法。
【請求項６】
ユーザーの指が触れた前記仮想ジョイスティック・オブジェクトは前記閾レンジの外にあるという判定結果である場合に、補助スキル・インジケータ・オブジェクトを得るために、前記グラフィカル・ユーザー・インターフェースでレンダリングを実行するステップであって、前記補助スキル・インジケータ・オブジェクトにより指定されるスキル・リリース可能レンジは、第１キャラクタ・オブジェクトの探索レンジである、ステップ；
ユーザー指リリース・ジェスチャを取得し、前記探索レンジ内の前記ターゲット・キャラクタ・オブジェクトに関して前記スキル・リリース・オペレーションを実行することを放棄し、前記ターゲット・キャラクタ・オブジェクトとして使用される前記第１キャラクタ・オブジェクトが前記探索レンジから発見されない場合に、第２プロンプト情報を表示するステップであって、前記第２プロンプト情報は、前記探索レンジ内に選択可能なターゲット・キャラクタ・オブジェクトが存在しないことを表現するために使用される、ステップ；
を更に有する請求項１に記載の情報処理方法。
【請求項７】
端末であって、グラフィカル・ユーザー・インターフェースを得るために、ソフトウェア・アプリケーションが前記端末のプロセッサで実行され、前記端末のディスプレイでレンダリングが実行され、前記プロセッサ、前記グラフィカル・ユーザー・インターフェース及び前記ソフトウェア・アプリケーションはゲーム・システムに実装されており、当該端末は：
少なくとも１つの仮想リソース・オブジェクトを得るために、前記グラフィカル・ユーザー・インターフェースでレンダリングを実行するように構成される第１レンダリング・ユニット；
前記グラフィカル・ユーザー・インターフェースの少なくとも１つのスキル・オペレーション・エリアに位置する少なくとも１つのスキル・オブジェクトに関してスキル・リリース・トリガ・ジェスチャを検出した場合に、スキル・リリース補助制御オブジェクトを得るために、前記グラフィカル・ユーザー・インターフェースでレンダリングを実行するように構成される第１検出ユニットであって、前記スキル・リリース補助制御オブジェクトは、スキル・リリース制御ハロー・オブジェクトと、前記スキル・リリース制御ハロー・オブジェクトの放射状レンジ内に位置する仮想ジョイスティック・オブジェクトとを有する、第１検出ユニット；
前記仮想ジョイスティック・オブジェクト上でドラッグ・オペレーションを検出した場合、それに応じて前記スキル・オブジェクトのスキル・リリース位置を、前記グラフィカル・ユーザー・インターフェース内で調整するように制御を行うように構成される第２検出ユニット；及び
前記仮想ジョイスティック・オブジェクトが閾レンジの外にあるか否かを判定し、前記仮想ジョイスティック・オブジェクトが前記閾レンジの外にない場合、前記ドラッグ・オペレーションについての検出されたリリース・オペレーションに従って、前記スキル・オブジェクトのスキル・リリース可能レンジ内の少なくとも１つのキャラクタ・オブジェクトの中から、第１プリセット・ポリシーを満足するターゲット・キャラクタ・オブジェクトを選択し、前記ターゲット・キャラクタ・オブジェクトに関してスキル・リリース・オペレーションを実行するスキル・リリース・ユニット；
を有し、
ユーザーの指が触れた前記仮想ジョイスティック・オブジェクトは前記閾レンジの外にあるという判定結果である場合に、補助スキル・インジケータ・オブジェクトを得るために、前記グラフィカル・ユーザー・インターフェースでレンダリングを実行するように構成される第２レンダリング・ユニットであって、前記補助スキル・インジケータ・オブジェクトにより指定されるスキル・リリース可能レンジは、第１キャラクタ・オブジェクトの探索レンジである、第２レンダリング・ユニット；及び
ユーザー指リリース・ジェスチャを取得し、前記探索レンジ内の少なくとも１つの第１キャラクタ・オブジェクトの中から、第２プリセット・ポリシーを満足する第１キャラクタ・オブジェクトを、前記ターゲット・キャラクタ・オブジェクトとして選択し、前記探索レンジ内の前記ターゲット・キャラクタ・オブジェクトに関してスキル・リリース・オペレーションを実行するスキル・リリース・ユニット；
を更に有する端末。
【請求項８】
ユーザーの指が触れた前記仮想ジョイスティック・オブジェクトは前記閾レンジの外にないという判定結果である場合に、ユーザー指リリース・ジェスチャを取得し、前記スキル・リリース可能レンジ内の前記ターゲット・キャラクタ・オブジェクトに関して前記スキル・リリース・オペレーションを実行することを放棄し、前記ターゲット・キャラクタ・オブジェクトが前記スキル・リリース可能レンジから発見されない場合に、第１プロンプト情報を表示するように構成されるスキル・リリース・キャンセル・ユニットであって、前記第１プロンプト情報は、前記スキル・リリース可能レンジ内に選択可能なターゲット・キャラクタ・オブジェクトが存在しないことを表現するために使用される、スキル・リリース・キャンセル・ユニット；
を更に有する請求項７に記載の端末。
【請求項９】
前記第２レンダリング・ユニットは、更に：
前記スキル・リリース制御ハロー・オブジェクトの中心に対する前記仮想ジョイスティック・オブジェクトにより形成される第１相対方向を取得し、前記スキル・インジケータ・オブジェクトの中心点に至るコネクション・ラインを利用することにより、第１ターゲット選択方向ラインを前記第１相対方向の中で生成し；及び
前記第１ターゲット選択方向ラインを中心として、或るプリセット角度を加える正及び負のオフセットに基づいて補助スキル・インジケータ・オブジェクトを形成する；
ように構成される請求項７に記載の端末。
【請求項１０】
前記スキル・リリース・ユニットは、更に：
前記探索レンジが複数の第１キャラクタ・オブジェクトを含む場合に、前記第１ターゲット選択方向ラインまでの垂直距離が最短である第１キャラクタ・オブジェクトを、前記ターゲット・キャラクタ・オブジェクトとして選択し、前記ターゲット・キャラクタ・オブジェクトを強調する；
ように構成される請求項９に記載の端末。
【請求項１１】
前記仮想ジョイスティック・オブジェクトの位置が前記スキル・リリース制御ハロー・オブジェクトの中心に対して変動したことが検出される度に、前記第１相対方向を第２相対方向にリフレッシュし、前記スキル・インジケータ・オブジェクトの前記中心点に至るコネクション・ラインを利用することにより、第２ターゲット選択方向ラインを前記第２相対方向の中で生成するステップ；及び
前記第２ターゲット選択方向ラインまでの垂直距離が最短である第１キャラクタ・オブジェクトを、前記ターゲット・キャラクタ・オブジェクトとして選択し、前記ターゲット・キャラクタ・オブジェクトを強調するステップであって、前記仮想ジョイスティック・オブジェクトが移動する度に前記ターゲット・キャラクタ・オブジェクトを再決定及びリフレッシュし、リフレッシュにより得られる新たなターゲット・キャラクタ・オブジェクトを強調するステップ；
を行うように構成されるリフレッシュ・ユニット；
を更に有する請求項１０に記載の端末。
【請求項１２】
ユーザーの指が触れた前記仮想ジョイスティック・オブジェクトは前記閾レンジの外にあるという判定結果である場合に、補助スキル・インジケータ・オブジェクトを得るために、前記グラフィカル・ユーザー・インターフェースでレンダリングを実行するステップであって、前記補助スキル・インジケータ・オブジェクトにより指定されるスキル・リリース可能レンジは、第１キャラクタ・オブジェクトの探索レンジである、ステップ；及び
ユーザー指リリース・ジェスチャを取得し、前記探索レンジ内の前記ターゲット・キャラクタ・オブジェクトに関して前記スキル・リリース・オペレーションを実行することを放棄し、前記ターゲット・キャラクタ・オブジェクトとして使用される前記第１キャラクタ・オブジェクトが前記探索レンジから発見されない場合に、第２プロンプト情報を表示するステップであって、前記第２プロンプト情報は、前記探索レンジ内に選択可能なターゲット・キャラクタ・オブジェクトが存在しないことを表現するために使用される、ステップ；
を行うように構成されるスキル・リリース・ユニット；
を更に有する請求項７に記載の端末。
【請求項１３】
ディスプレイ及びプロセッサを有する端末であって、前記ディスプレイは、グラフィカル・ユーザー・インターフェースを得るために、前記端末の前記プロセッサでソフトウェア・アプリケーションを実行し、前記ソフトウェア・アプリケーションでレンダリングを実行するように構成され、前記グラフィカル・ユーザー・インターフェースはマン・マシン・インタラクションによる制御処理を促すように構成され；
前記プロセッサは請求項１ないし６のうち何れか一項に記載の情報処理方法を実行するように構成され；及び
前記プロセッサ、前記グラフィカル・ユーザー・インターフェース及び前記ソフトウェア・アプリケーションはゲーム・システムに実装されている、端末。
【請求項１４】
コンピュータ実行可能命令が保存されるコンピュータ記憶媒体であって、前記コンピュータ実行可能命令は、請求項１ないし６のうちの何れか一項に記載の情報処理方法を実行するように構成されている、コンピュータ記憶媒体。
【発明の詳細な説明】
【技術分野】
【０００１】
＜関連出願＞
本願は2015年10月10日付けでテンセント・テクノロジー(シンセン)カンパニー・リミテッドにより出願された「INFORMATION  PROCESSING  METHOD,  TERMINAL,  AND  COMPUTER  STORAGE  MEDIUM」と題する中国特許出願第201510654167.4号による優先的利益を享受し、その中国特許出願は全体的にリファレンスに組み入れられる。
【０００２】
＜技術分野＞
本開示は情報交換技術に関連し、特に、情報処理方法、端末及びコンピュータ記憶媒体に関連する。
【背景技術】
【０００３】
ラージ・スクリーン及びスーパー・スクリーン・インテリジェント端末の漸進的な普及とともに、インテリジェント端末のプロセッサは益々高い処理能力を有し、それにより、マン・マシン・インタラクションに基づいて制御を実行する多くのアプリケーションがラージ・スクリーン又はスーパー・スクリーンに登場している。マン・マシン・インタラクションに基づいて制御を実行するプロセスにおいて、多くのユーザーは、様々なインタラクション結果を得るために、1対1、1対多及び多対多の形式でグループを形成することにより、様々なインタラクション・モードを動作させても良い。例えば、ラージ・スクリーン又はスーパー・スクリーンにおけるレンダリングにより得られるグラフィカル・ユーザー・インターフェースにおいて、マン・マシン・インタラクションにおける制御処理により、多数のユーザーが2つの異なるグループに分けられた後、異なるグループ間で情報交換が実行され、情報交換に対する応答に応じて様々なインタラクション結果が得られ；及び、マン・マシン・インタラクションにおける制御処理を利用により、同じグループ内のグループ・メンバ間でも情報交換が実行され、情報交換に対する応答に応じて様々なインタラクション結果が得られる。
【０００４】
既存の技術では、情報交換プロセスにおいて、特定の能力のリリース(release  of  a  particular  capability)は、情報の提示形式及び内容を豊かにするためにトリガーされ、情報の様々な提示形式及び内容は最終的には様々なインタラクション結果をもたらす。しかしながら、特定の能力をリリースする現在の方法では、リリースされるスキル(a  released  skill)が向けられるターゲット・オブジェクトは正確かつ迅速に配置されることができず、操作ミスを生じやすく、更に、不正確な配置はインタラクション処理の処理速度にも影響を及ぼす。
【発明の概要】
【０００５】
このような観点から、本発明の実施形態は、既存の技術における少なくとも1つの問題を解決するように、情報処理方法、端末及び記憶媒体を提供することを意図しており、それにより、リリースされるスキルが向けられるターゲット・オブジェクトは正確かつ迅速に配置されることが可能になり、操作ミスが回避され、更に、不正確な配置が改善されるのでインタラクション処理の処理速度も向上する。
【０００６】
本発明の実施形態の技術的解決手段は次のように実現される：
【０００７】
本発明の実施形態は情報処理方法を提供し、グラフィカル・ユーザー・インターフェースを得るために、ソフトウェア・アプリケーションが端末のプロセッサで実行され、端末のディスプレイでレンダリングが実行され、プロセッサ、グラフィカル・ユーザー・インターフェース及びソフトウェア・アプリケーションはゲーム・システムに実装されており、情報処理方法は：
少なくとも１つの仮想リソース・オブジェクトを得るために、グラフィカル・ユーザー・インターフェースでレンダリングを実行するステップ；
グラフィカル・ユーザー・インターフェースの少なくとも１つのスキル・オペレーション・エリアに位置する少なくとも１つのスキル・オブジェクトに関してスキル・リリース・トリガ・ジェスチャを検出した場合に、スキル・リリース補助制御オブジェクトを得るために、グラフィカル・ユーザー・インターフェースでレンダリングを実行するステップであって、スキル・リリース補助制御オブジェクトは、スキル・リリース制御ハロー・オブジェクト(a  skill  release  control  halo  object)と、スキル・リリース制御ハロー・オブジェクトの放射状レンジ内に位置する仮想ジョイスティック・オブジェクトとを有する、ステップ；
仮想ジョイスティック・オブジェクト上でドラッグ・オペレーションを検出した場合、それに応じてスキル・オブジェクトのスキル・リリース位置を、グラフィカル・ユーザー・インターフェース内で調整するように制御するステップ；及び
仮想ジョイスティック・オブジェクトが閾レンジの外にあるか否かを判定し、仮想ジョイスティック・オブジェクトが閾レンジの外にない場合、ドラッグ・オペレーションについての検出されたリリース・オペレーションに従って、スキル・オブジェクトのスキル・リリース可能レンジ内の少なくとも１つのキャラクタ・オブジェクトの中から、第１プリセット・ポリシーを満足するターゲット・キャラクタ・オブジェクトを選択し、ターゲット・キャラクタ・オブジェクトに関してスキル・リリース・オペレーションを実行するステップ；
を有する情報処理方法である。
【０００８】
本発明の実施形態は更に端末も提供し、グラフィカル・ユーザー・インターフェースを得るために、ソフトウェア・アプリケーションが端末のプロセッサで実行され、端末のディスプレイでレンダリングが実行され、プロセッサ、前記グラフィカル・ユーザー・インターフェース及び前記ソフトウェア・アプリケーションはゲーム・システムに実装されており、端末は：
少なくとも１つの仮想リソース・オブジェクトを得るために、グラフィカル・ユーザー・インターフェースでレンダリングを実行するように構成される第１レンダリング・ユニット；
グラフィカル・ユーザー・インターフェースの少なくとも１つのスキル・オペレーション・エリアに位置する少なくとも１つのスキル・オブジェクトに関してスキル・リリース・トリガ・ジェスチャを検出した場合に、スキル・リリース補助制御オブジェクトを得るために、グラフィカル・ユーザー・インターフェースでレンダリングを実行するように構成される第１検出ユニットであって、スキル・リリース補助制御オブジェクトは、スキル・リリース制御ハロー・オブジェクトと、前記スキル・リリース制御ハロー・オブジェクトの放射状レンジ内に位置する仮想ジョイスティック・オブジェクトとを有する、第１検出ユニット；
仮想ジョイスティック・オブジェクト上でドラッグ・オペレーションを検出した場合、それに応じてスキル・オブジェクトのスキル・リリース位置を、グラフィカル・ユーザー・インターフェース内で調整するように制御を行うように構成される第２検出ユニット；及び
仮想ジョイスティック・オブジェクトが閾レンジの外にあるか否かを判定し、仮想ジョイスティック・オブジェクトが閾レンジの外にない場合、前記ドラッグ・オペレーションについての検出されたリリース・オペレーションに従って、スキル・オブジェクトのスキル・リリース可能レンジ内の少なくとも１つのキャラクタ・オブジェクトの中から、第１プリセット・ポリシーを満足するターゲット・キャラクタ・オブジェクトを選択し、ターゲット・キャラクタ・オブジェクトに関してスキル・リリース・オペレーションを実行するスキル・リリース・ユニット；
を有する端末である。
【０００９】
本発明の実施形態は端末を更に提供し、端末は：ディスプレイ及びプロセッサを有し、ディスプレイは、グラフィカル・ユーザー・インターフェースを得るために、端末のプロセッサでソフトウェア・アプリケーションを実行し、ソフトウェア・アプリケーションでレンダリングを実行するように構成され、グラフィカル・ユーザー・インターフェースはマン・マシン・インタラクションによる制御処理を促すように構成され；
プロセッサは上記の解決手段のうちの何れかによる情報処理方法を実行するように構成され；及び
プロセッサ、グラフィカル・ユーザー・インターフェース及びソフトウェア・アプリケーションはゲーム・システムに実装されている。
【００１０】
本発明の実施形態はコンピュータ記憶媒体も提供し、コンピュータ実行可能命令がコンピュータ記憶媒体に保存され、コンピュータ実行可能命令は、上記の解決手段のうちの何れかによる情報処理方法を実行するように構成されている。
【００１１】
本発明の実施形態による情報処理方法では、グラフィカル・ユーザー・インターフェースを得るために、ソフトウェア・アプリケーションが端末のプロセッサで実行され、端末のディスプレイでレンダリングが実行され、プロセッサ、グラフィカル・ユーザー・インターフェース及びソフトウェア・アプリケーションはゲーム・システムに実装されており、情報処理方法は：少なくとも１つの仮想リソース・オブジェクトを得るために、グラフィカル・ユーザー・インターフェースでレンダリングを実行するステップ；グラフィカル・ユーザー・インターフェースの少なくとも１つのスキル・オペレーション・エリアに位置する少なくとも１つのスキル・オブジェクトに関してスキル・リリース・トリガ・ジェスチャを検出した場合に、スキル・リリース補助制御オブジェクトを得るために、グラフィカル・ユーザー・インターフェースでレンダリングを実行するステップであって、スキル・リリース補助制御オブジェクトは、スキル・リリース制御ハロー・オブジェクトと、スキル・リリース制御ハロー・オブジェクトの放射状レンジ内に位置する仮想ジョイスティック・オブジェクトとを有する、ステップ；仮想ジョイスティック・オブジェクト上でドラッグ・オペレーションを検出した場合、それに応じてスキル・オブジェクトのスキル・リリース位置を、前記グラフィカル・ユーザー・インターフェース内で調整するように制御するステップ；及び、仮想ジョイスティック・オブジェクトが閾レンジの外にあるか否かを判定し、仮想ジョイスティック・オブジェクトが閾レンジの外にない場合、ドラッグ・オペレーションについての検出されたリリース・オペレーションに従って、スキル・オブジェクトのスキル・リリース可能レンジ内の少なくとも１つのキャラクタ・オブジェクトの中から、第１プリセット・ポリシーを満足するターゲット・キャラクタ・オブジェクトを選択し、ターゲット・キャラクタ・オブジェクトに関してスキル・リリース・オペレーションを実行するステップ；を有する情報処理方法である。
【００１２】
本発明の実施形態によれば、ユーザーの指が触れた仮想ジョイスティック・オブジェクトは閾レンジの外にあるか否かを判定することにより、ターゲット・キャラクタ・オブジェクトが選択され突き止められ；ユーザーの指が触れた仮想ジョイスティック・オブジェクトは閾レンジの外にないという判定結果である場合に、ユーザー指リリース・ジェスチャが取得され；ドラッグ・オペレーションについての検出されたリリース・オペレーションに従って、スキル・オブジェクトのスキル・リリース可能レンジ内の少なくとも１つのキャラクタ・オブジェクトの中から、第１プリセット・ポリシーを満足するターゲット・キャラクタ・オブジェクトが選択され、ターゲット・キャラクタ・オブジェクトに関してスキル・リリース・オペレーションが実行される。特定の能力をリリースするそのような方法では、リリースされるスキルが向けられるターゲット・オブジェクトは正確かつ迅速に配置されることが可能になり、操作ミスが回避され、更に、正確な配置に起因してインタラクション処理の処理速度が向上する。
【図面の簡単な説明】
【００１３】
【図１】本発明の実施形態による情報交換を実行する様々なハードウェア・エンティティの概略図。
【００１４】
【図２】本発明の実施形態1の実現についての概略フローチャートを示す図。
【００１５】
【図３】本発明の実施形態による取得されるユーザー・インタラクション・インターフェース(UI)の適用についての概略図。
【００１６】
【図４】図3に対応するUIエフェクトを生成するためのシステム設定インターフェースの概略図。
【００１７】
【図５】本発明の実施形態による別の取得されるUIの適用についての概略図。
【００１８】
【図６】本発明の実施形態2の実現についての概略フローチャートを示す図。
【００１９】
【図７】本発明の実施形態3の実現についての概略フローチャートを示す図。
【００２０】
【図８】本発明の実施形態による取得されるUIの適用についての概略図。
【図９】本発明の実施形態による取得されるUIの適用についての概略図。
【図１０】本発明の実施形態による取得されるUIの適用についての概略図。
【００２１】
【図１１】本発明の実施形態4による概略的な構造図。
【００２２】
【図１２】本発明の実施形態5によるハードウェア・エンティティの概略的な構造図。
【００２３】
【図１３】本発明の実施形態が適用される特定のアプリケーション状況の実現についての概略フローチャートを示す図。
【００２４】
【図１４】本発明の実施形態が適用される特定のアプリケーション状況の実現についての概略フローチャートを示す図。
【発明を実施するための形態】
【００２５】
以下、添付図面に関連して技術的解決手段の実現が詳細に説明される。
【００２６】
図1は本発明の実施形態による情報交換を実行する様々なハードウェア・エンティティの概略図である。図1は、1つ以上のサーバー(図1におけるサーバー11が単なる一例にすぎない)と、端末デバイス21ないし25と、ネットワーク31とを含む。ネットワーク31は、図視されていないルータ及びゲートウェイ等のようなネットワーク・エンティティを含む。端末デバイス21ないし25は、有線ネットワーク又は無線ネットワークを利用することによりサーバーと情報交換を行い、アプリケーション及び/又はアプリケーション更新データ・パケット及び/又はアプリケーション関連データ情報又はサービス情報をサーバー11からダウンロードする。あるタイプの端末デバイスが図1に示されており、端末デバイスのタイプは、携帯電話(端末23)、タブレット・コンピュータ又はPDA(端末25)、デスクトップ・コンピュータ(端末22)、PC(端末24)、オール・イン・ワンPC(端末21)及び他のタイプを含む。ユーザーにより必要とされる様々なアプリケーションが端末デバイスにインストールされており、様々なアプリケーションは、例えば、エンターテーメント機能を有するアプリケーション(例えば、ビデオ・アプリケーション、オーディオ再生アプリケーション、ゲーム・アプリケーション又はリーディング・ソフトウェア等)或いは応対機能を有するアプリケーション(例えば、地図ナビゲーション・アプリケーション又はグループ購入アプリケーション等)である。
【００２７】
図1に示されるシステムに基づいて、あるゲームのシーンが一例として使用される。端末デバイス21ないし25は、ネットワーク31により、ゲーム・アプリケーション及び/又はゲーム・アプリケーション更新データ・パケット及び/又はゲーム・アプリケーション関連データ情報又はサービス情報を、要求に応じてサーバー11からダウンロードする。本発明の実施形態によれば、ゲーム・アプリケーションが端末デバイスで開始され、レンダリングにより取得されるゲーム・インターフェースが入力された後に、ゲーム・インターフェースの少なくとも1つのスキル・オペレーション・エリアに位置する少なくとも1つのスキル・オブジェクトに関してスキル・リリース・トリガ・ジェスチャが検出された場合に、スキル・リリース補助制御オブジェクトが、グラフィカル・ユーザー・インターフェースにおけるレンダリングにより取得され、スキル・リリース補助制御オブジェクトは、スキル・リリース制御ハロー・オブジェクトと、スキル・リリース制御ハロー・オブジェクトの放射状レンジ内に位置する仮想ジョイスティック・オブジェクトとを有し；仮想ジョイスティック・オブジェクト上でドラッグ・オペレーションを検出した場合、それに応じてスキル・オブジェクトのスキル・リリース位置は、グラフィカル・ユーザー・インターフェース内で調整されるように制御され；及び、仮想ジョイスティック・オブジェクトが閾レンジの外にあるか否かが判定され、仮想ジョイスティック・オブジェクトが閾レンジの外にない場合、ドラッグ・オペレーションについての検出されたリリース・オペレーションに従って、スキル・オブジェクトのスキル・リリース可能レンジ内の少なくとも1つのキャラクタ・オブジェクトの中から、第1プリセット・ポリシーを満足するターゲット・キャラクタ・オブジェクトが選択され、ターゲット・キャラクタ・オブジェクトに関してスキル・リリース・オペレーションが実行される。ユーザーの指が触れた仮想ジョイスティック・オブジェクトは閾レンジの外にあるか否かを判定することにより、ターゲット・キャラクタ・オブジェクトが選択され突き止められることが可能になり、それにより、ユーザーは情報交換プロセスで迅速に応答するように促されることが可能になり、ひいては、グラフィカル・ユーザー・インターフェースを探すためにユーザーが応答時間を費やしてしまうこと回避する。特定の能力をリリースするそのような方法では、リリースされるスキルが向けられるターゲット・オブジェクトは正確かつ迅速に配置されることが可能になり、操作ミスが回避され、更に、正確な配置に起因してインタラクション処理の処理速度が向上する。
【００２８】
図1の具体例は、本発明の実施形態を実現するシステム・アーキテクチャの一例に過ぎず、本発明の実施形態は図1のシステム・アーキテクチャに限定されない。システム・アーキテクチャに基づいて、本発明の様々な実施形態が提供される。
＜実施形態1＞
【００２９】
本発明の実施形態は情報処理方法を提供する。グラフィカル・ユーザー・インターフェースを得るために、ソフトウェア・アプリケーションが端末のプロセッサで実行され、端末のディスプレイでレンダリングが実行される。プロセッサ、グラフィカル・ユーザー・インターフェース及びソフトウェア・アプリケーションはゲーム・システムに実装されている。図2に示されるように、本方法は以下のステップを含む：
【００３０】
ステップ101：少なくとも１つの仮想リソース・オブジェクトを得るために、グラフィカル・ユーザー・インターフェースでレンダリングを実行する。
【００３１】
ここで、仮想リソース・オブジェクトは、グラフィカル・ユーザー・インターフェース内の様々なタイプのオブジェクトでカバーされている。例えば、ユーザーを表現するユーザー・アバター・アイコン(a  user  avatar  icon)、背景にある建物、木、タワー・ディフェンス(tower  defense)等を表現するオブジェクト、ユーザーのステータスを表現するオブジェクト(例えば、ブラッド値(a  blood  value)又はバイタリティ値(a  vitality  value)、ユーザーのスキル、イクイップメント(equipment)等を表現するオブジェクト、ユーザーの位置の変化を制御する方向ボタンオブジェクト、ユーザーによるスキル・リリース中に使用されるレンダリング・オブジェクト等の全てが、本発明の実施形態の「仮想リソース・オブジェクト」の保護範囲に属する。
【００３２】
ステップ102：グラフィカル・ユーザー・インターフェースの少なくとも1つのスキル・オペレーション・エリアに位置する少なくとも1つのスキル・オブジェクトに関してスキル・リリース・トリガ・ジェスチャを検出した場合に、スキル・リリース補助制御オブジェクトを得るために、グラフィカル・ユーザー・インターフェースでレンダリングを実行する。この場合において、スキル・リリース補助制御オブジェクトは、スキル・リリース制御ハロー・オブジェクトと、スキル・リリース制御ハロー・オブジェクトの放射状レンジ内に位置する仮想ジョイスティック・オブジェクトとを有する。
【００３３】
ここで、第1方法では、スキル・リリース補助制御オブジェクトを取得し、デフォルトの固定位置にスキル・リリース補助制御オブジェクトを表示するために、グラフィカル・ユーザー・インターフェースのプリセット位置でレンダリングが実行されてもよい。スキル・リリース補助制御オブジェクトは、プリセット位置(即ち、デフォルトの固定されている位置)に登場することが可能であり、それにより、ユーザーは情報交換プロセスで迅速に応答するように促進されることが可能になり、グラフィカル・ユーザー・インターフェースを探すためにユーザーが応答時間を費やしてしまうことを回避する。第2方法では、指のタッチ(又は接触)又はスライドにより第1地点が取得されてもよく、そして、スキル・リリース補助制御オブジェクトを取得し、指のタッチ又はスライドにより変更可能な場所にスキル・リリース補助制御オブジェクトを表示するために、グラフィカル・ユーザー・インターフェース内の第1地点でレンダリングが実行される。スキル・リリース補助制御オブジェクトは、指のタッチ又はスライドにより変更可能な場所に登場することが可能である。従って、指のスライドによりスキルのリリースを速やかに実行する習慣を有するユーザーの要請は非常に良く適合し、そのような要請は、固定位置でスキルのリリースを実行する習慣を有し且つスキルのリリースを実行する際に不変の制御領域を意図するユーザーの要請とは異なり、このようにしてユーザーは情報交換プロセスで速やかに応答するように促され、グラフィカル・ユーザー・インターフェースを探すためにユーザーが応答時間を費やしてしまうことを回避する。
【００３４】
ここで、第1方法が一例として使用される。図3に示されるように、グラフィカル・ユーザー・インターフェースのスキル・オペレーション・エリア40において、スキル・オブジェクト1に適用されるスキル・リリースオペレーション・ジェスチャが取得され、スキル・リリース補助制御オブジェクトを取得するために、レンダリングが実行される。スキル・リリース補助制御オブジェクトは、スキル・リリース制御ハロー・オブジェクト41と、仮想ジョイスティック・オブジェクト42とを有する。その後、スキル・リリース制御オペレーションがトリガーされ、それにより、スキル・リリース制御ハロー・オブジェクト41の位置は不変のまま残り、スキル・インジケータ・オブジェクト43により指定されるスキル・リリース可能レンジは、スキル・リリース制御ハロー・オブジェクト41が配置されるエリアによって完全にカバーされる。
【００３５】
具体的には、図3に示されるように、スキル・リリース制御ハロー・オブジェクト41は、ホイールの形状を有しホイール(a  wheel)と言及されても良く；仮想ジョイスティック・オブジェクト42は円の形状又は環の形状(an  annular  shape  or  a  ring  shape)を有しジョイスティックと言及されても良く；スキル・インジケータ・オブジェクト43はホイールの形状を有しスキル・インジケータと言及されても良い。ここで、本明細書で使用されるスキル・リリース制御ハロー・オブジェクト及び仮想ジョイスティック・オブジェクトは、スキル・リリース・コントローラ・オブジェクト及びジョイスティック・オブジェクトの具体例に過ぎないことに、留意すべきである。グラフィカル・ユーザー・インターフェースでレンダリングを実行することにより取得されるスキル・リリース・コントローラ・オブジェクト及びジョイスティック・オブジェクトは、スキル制御を実現するために構成されるオブジェクトが実現可能である限りにおいて、ホイールの形状、円の形状、リングの形状及びその他の形状を含んでも良く、形状はこれらに限定されない。
【００３６】
図3に示されるUIエフェクト・インターフェースの概略図は、図4に示されるような設定を利用することにより得られる。図4はシステム設定インターフェースの概略図である。ユーザーがホイール登場位置を固定位置に設定するオプションを選択すると、ユーザーの設定に合わせて、以後、図3に示されるUIがレンダリングを実行することにより得られる。UIにおいて、ジョイスティックの中心がホイールの中心から逸脱すると、スキル・リリース制御オペレーションがトリガーされ、それにより、ホイールの位置は不変のまま残り、スキル・インジケータにより指定されるスキル・リリース可能レンジは、ホイールが配置されるエリアによって完全にカバーされる。スキル・インジケータは、ユーザーの狙いを補助するために又は他の目的に使用するためにレンダリングが実行されるインジケータである。
【００３７】
ここで、スキル・インジケータ・オブジェクトにより指定されるスキル・リリース可能レンジは、スキル・リリース制御ハロー・オブジェクトが配置されるエリアによって完全にカバーされる。
【００３８】
ステップ103：仮想ジョイスティック・オブジェクト上でドラッグ・オペレーションを検出した場合、それに応じてスキル・オブジェクトのスキル・リリース位置を、グラフィカル・ユーザー・インターフェース内で調整するように制御する。
【００３９】
ステップ104：仮想ジョイスティック・オブジェクトが閾レンジの外にあるか否かを判定し、仮想ジョイスティック・オブジェクトが閾レンジの外にない場合、ドラッグ・オペレーションについての検出されたリリース・オペレーションに従って、スキル・オブジェクトのスキル・リリース可能レンジ内の少なくとも１つのキャラクタ・オブジェクトの中から、最高優先度を有し且つ第1プリセット・ポリシーを満足するターゲット・キャラクタ・オブジェクトを選択し、ターゲット・キャラクタ・オブジェクトに関してスキル・リリース・オペレーションを実行する。
【００４０】
ここで、図5は閾レンジの具体例を示す。図5において、仮想ジョイスティック・オブジェクト42は、閾レンジ44に部分的にオーバーラップし、閾レンジ外ではない。この場合、ユーザー指リリース・ジェスチャが取得され、スキル・リリース可能レンジ内の少なくとも1つのキャラクタ・オブジェクトの中から、第1プリセット・ポリシーを満足するキャラクタ・オブジェクトを、最高優先度を有するターゲット・キャラクタ・オブジェクトとして選択するように、以後のステップが実行される。
【００４１】
ここで、ターゲット・キャラクタ・オブジェクトに関してスキル・リリース・オペレーションを実行することは、スキル・リリース・オペレーション・ジェスチャにより動かすために仮想ジョイスティック・オブジェクトをドラッグすることにより取得されるスキル・オブジェクトのリリース位置及び/又は方向に従って、スキル・リリース可能レンジ内でターゲット・キャラクタ・オブジェクトに関してスキル・リリース・オペレーションを実行することであっても良い。
【００４２】
本発明の実施形態によれば、ユーザーの指が触れた仮想ジョイスティック・オブジェクトは閾レンジの外にあるか否かを判定することにより、ターゲット・キャラクタ・オブジェクトが選択され突き止められ；ユーザーの指が触れた仮想ジョイスティック・オブジェクトは閾レンジの外にないという判定結果である場合に、ユーザー指リリース・ジェスチャが取得され；最高優先度を有するターゲット・キャラクタ・オブジェクトとして第1プリセット・ポリシーを満足するキャラクタ・オブジェクトが、スキル・リリース可能レンジ内の少なくとも1つのキャラクタ・オブジェクトの中から選択され、スキル・リリース・オペレーション・ジェスチャで仮想ジョイスティック・オブジェクトの動きにより取得されるスキル・オブジェクトのリリース位置及び/又は方向に応じて、スキル・リリース可能レンジ内のターゲット・キャラクタ・オブジェクトに関して、スキル・リリース・オペレーションが実行される。特定の能力をリリースするそのような方法では、リリースされるスキルが向けられるターゲット・オブジェクトは正確かつ迅速に配置されることが可能になり、操作ミスが回避され、更に、正確な配置に起因してインタラクション処理の処理速度が向上する。
＜実施形態2＞
【００４３】
本発明のこの実施形態は情報処理方法を提供する。本方法は電子デバイスに適用され、電子デバイスはディスプレイ・ユニットを含み、ディスプレイ・ユニットはディスプレイ・エリアを含む。図6に示されるように、本方法は以下のステップを含む：
【００４４】
ステップ201：少なくとも1つの仮想リソース・オブジェクトを得るために、グラフィカル・ユーザー・インターフェースでレンダリングを実行する。
【００４５】
ここで、仮想リソース・オブジェクトは、グラフィカル・ユーザー・インターフェース内の様々なタイプのオブジェクトでカバーされている。例えば、ユーザーを表現するユーザー・アバター・アイコン、背景にある建物、木、タワー・ディフェンス等を表現するオブジェクト、ユーザーのステータスを表現するオブジェクト(例えば、ブラッド値又はバイタリティ値)、ユーザーのスキル、イクイップメント等を表現するオブジェクト、ユーザーの位置の変化を制御する方向ボタンオブジェクト、ユーザーによるスキル・リリース中に使用されるレンダリング・オブジェクト等の全てが、本発明の実施形態の「仮想リソース・オブジェクト」の保護範囲に属する。
【００４６】
ステップ202：グラフィカル・ユーザー・インターフェースの少なくとも1つのスキル・オペレーション・エリアに位置する少なくとも1つのスキル・オブジェクトに関してスキル・リリース・トリガ・ジェスチャを検出した場合に、スキル・リリース補助制御オブジェクトを得るために、グラフィカル・ユーザー・インターフェースでレンダリングを実行する。この場合において、スキル・リリース補助制御オブジェクトは、スキル・リリース制御ハロー・オブジェクトと、スキル・リリース制御ハロー・オブジェクトの放射状レンジ内に位置する仮想ジョイスティック・オブジェクトとを有する。
【００４７】
ここで、第1方法では、スキル・リリース補助制御オブジェクトを取得し、デフォルトの固定位置にスキル・リリース補助制御オブジェクトを表示するために、グラフィカル・ユーザー・インターフェースのプリセット位置でレンダリングが実行されてもよい。スキル・リリース補助制御オブジェクトは、プリセット位置(即ち、デフォルトの固定されている位置)に登場することが可能であり、それにより、ユーザーは情報交換プロセスで迅速に応答するように促進されることが可能になり、グラフィカル・ユーザー・インターフェースを探すためにユーザーが応答時間を費やしてしまうことを回避する。第2方法では、指のタッチ又はスライドにより第1地点が取得され、そして、スキル・リリース補助制御オブジェクトを取得し、指のタッチ又はスライドにより変更可能な場所にスキル・リリース補助制御オブジェクトを表示するために、グラフィカル・ユーザー・インターフェース内の第1地点でレンダリングが実行される。スキル・リリース補助制御オブジェクトは、指のタッチ又はスライドにより変更可能な場所に登場することが可能である。従って、指のスライドによりスキルのリリースを速やかに実行する習慣を有するユーザーの要請は非常に良く適合し、そのような要請は、固定位置でスキルのリリースを実行する習慣を有し且つスキルのリリースを実行する際に不変の制御領域を意図するユーザーの要請とは異なり、このようにしてユーザーは情報交換プロセスで速やかに応答するように促され、グラフィカル・ユーザー・インターフェースを探すためにユーザーが応答時間を費やしてしまうことを回避する。
【００４８】
ここで、第1方法が一例として使用される。図3に示されるように、グラフィカル・ユーザー・インターフェースのスキル・オペレーション・エリア40において、スキル・オブジェクト1に適用されるスキル・リリースオペレーション・ジェスチャが取得され、スキル・リリース補助制御オブジェクトを取得するために、レンダリングが実行される。スキル・リリース補助制御オブジェクトは、スキル・リリース制御ハロー・オブジェクト41と、仮想ジョイスティック・オブジェクト42とを有する。その後、スキル・リリース制御オペレーションがトリガーされ、それにより、スキル・リリース制御ハロー・オブジェクト41の位置は不変のまま残り、スキル・インジケータ・オブジェクト43により指定されるスキル・リリース可能レンジは、スキル・リリース制御ハロー・オブジェクト41が配置されるエリアによって完全にカバーされる。
【００４９】
具体的には、図3に示されるように、スキル・リリース制御ハロー・オブジェクト41は、ホイールの形状を有しホイールと言及されても良く；仮想ジョイスティック・オブジェクト42は円の形状又は環の形状を有しジョイスティックと言及されても良く；スキル・インジケータ・オブジェクト43はホイールの形状を有しスキル・インジケータと言及されても良い。ここで、本明細書で使用されるスキル・リリース制御ハロー・オブジェクト及び仮想ジョイスティック・オブジェクトは、スキル・リリース・コントローラ・オブジェクト及びジョイスティック・オブジェクトの具体例に過ぎないことに、留意すべきである。グラフィカル・ユーザー・インターフェースでレンダリングを実行することにより取得されるスキル・リリース・コントローラ・オブジェクト及びジョイスティック・オブジェクトは、スキル制御を実現するために構成されるオブジェクトが実現可能である限りにおいて、ホイールの形状、円の形状、リングの形状及びその他の形状を含んでも良く、形状はこれらに限定されない。
【００５０】
図3に示されるUIエフェクト・インターフェースの概略図は、図4に示されるような設定を利用することにより得られる。図4はシステム設定インターフェースの概略図である。ユーザーがホイール登場位置を固定位置に設定するオプションを選択すると、ユーザーの設定に合わせて、以後、図3に示されるUIがレンダリングを実行することにより得られる。UIにおいて、ジョイスティックの中心がホイールの中心から逸脱すると、スキル・リリース制御オペレーションがトリガーされ、それにより、ホイールの位置は不変のまま残り、スキル・インジケータにより指定されるスキル・リリース可能レンジは、ホイールが配置されるエリアによって完全にカバーされる。
【００５１】
ここで、スキル・インジケータ・オブジェクトにより指定されるスキル・リリース可能レンジは、スキル・リリース制御ハロー・オブジェクトが配置されるエリアによって完全にカバーされる。
【００５２】
ステップ203：仮想ジョイスティック・オブジェクト上でドラッグ・オペレーションを検出した場合、それに応じてスキル・オブジェクトのスキル・リリース位置を、グラフィカル・ユーザー・インターフェース内で調整するように制御する。
【００５３】
ステップ204：スキル・リリース・オペレーション・ジェスチャにより仮想ジョイスティック・オブジェクトが移動していることを検出すると、ユーザーの指が触れた仮想ジョイスティック・オブジェクトは閾レンジの外にあるか否かを判定し、仮想ジョイスティック・オブジェクトは閾レンジの外にはない場合に、ユーザー指リリース・ジェスチャを取得し、スキル・リリース可能レンジ内のターゲット・キャラクタ・オブジェクトに関してスキル・リリース・オペレーションを実行することを放棄し、ターゲット・キャラクタ・オブジェクトがスキル・リリース可能レンジから発見されない場合に、第1プロンプト情報を表示する。
【００５４】
ここで、図5は閾レンジの具体例を示す。図5において、仮想ジョイスティック・オブジェクト42は、閾レンジ44に部分的にオーバーラップし、閾レンジ外ではない。この場合、ユーザー指リリース・ジェスチャが取得され、スキル・リリース可能レンジ内の少なくとも1つのキャラクタ・オブジェクトの中から、第1プリセット・ポリシーを満足するキャラクタ・オブジェクトを、最高優先度を有するターゲット・キャラクタ・オブジェクトとして選択するように、以後のステップが実行される。
【００５５】
ここで、第1プロンプト情報は、スキル・リリース可能レンジ内に選択可能なターゲット・キャラクタ・オブジェクトが存在しないことを表現するために使用される。
【００５６】
本発明の実施形態によれば、ユーザーの指が触れた仮想ジョイスティック・オブジェクトは閾レンジの外にあるか否かを判定することにより、ターゲット・キャラクタ・オブジェクトが選択され突き止められ；ユーザーの指が触れた仮想ジョイスティック・オブジェクトは閾レンジの外にないという判定結果である場合に、ユーザー指リリース・ジェスチャが取得され；スキル・リリース可能レンジ内のターゲット・キャラクタ・オブジェクトに関してスキル・リリース・オペレーションを実行することは放棄され、ターゲット・キャラクタ・オブジェクトがスキル・リリース可能レンジから発見されない場合に、第1プロンプト情報が表示され、第1プロンプト情報は、スキルリリース可能レンジ内に選択可能なターゲット・キャラクタ・オブジェクトが存在しないことを表現するために使用される。特定の能力をリリースするそのような方法では、リリースされるスキルが向けられるターゲット・オブジェクトは正確かつ迅速に配置されることが可能になり、ターゲット・オブジェクトが発見されない場合にスキル・リリース・オペレーションは破棄され、これは操作ミスの回避を可能にし、(後述の実施形態3に示されるように)ターゲット・オブジェクトを再決定するために、以後、判定及び検出が実行され、正確な配置に起因してインタラクション処理の処理速度が向上する。
＜実施形態3＞
【００５７】
本発明のこの実施形態は情報処理方法を提供する。本方法は電子デバイスに適用され、電子デバイスはディスプレイ・ユニットを含み、ディスプレイ・ユニットはディスプレイ・エリアを含む。図7に示されるように、本方法は以下のステップを含む：
【００５８】
ステップ301：少なくとも１つの仮想リソース・オブジェクトを得るために、グラフィカル・ユーザー・インターフェースでレンダリングを実行する。
【００５９】
ここで、仮想リソース・オブジェクトは、グラフィカル・ユーザー・インターフェース内の様々なタイプのオブジェクトでカバーされている。例えば、ユーザーを表現するユーザー・アバター・アイコン、背景にある建物、木、タワー・ディフェンス等を表現するオブジェクト、ユーザーのステータスを表現するオブジェクト(例えば、ブラッド値又はバイタリティ値)、ユーザーのスキル、イクイップメント等を表現するオブジェクト、ユーザーの位置の変化を制御する方向ボタンオブジェクト、ユーザーによるスキル・リリース中に使用されるレンダリング・オブジェクト等の全てが、本発明の実施形態の「仮想リソース・オブジェクト」の保護範囲に属する。
【００６０】
ステップ302：グラフィカル・ユーザー・インターフェースの少なくとも1つのスキル・オペレーション・エリアに位置する少なくとも1つのスキル・オブジェクトに関してスキル・リリース・トリガ・ジェスチャを検出した場合に、スキル・リリース補助制御オブジェクトを得るために、グラフィカル・ユーザー・インターフェースでレンダリングを実行する。この場合において、スキル・リリース補助制御オブジェクトは、スキル・リリース制御ハロー・オブジェクトと、スキル・リリース制御ハロー・オブジェクトの放射状レンジ内に位置する仮想ジョイスティック・オブジェクトとを有する。
【００６１】
ここで、第1方法では、スキル・リリース補助制御オブジェクトを取得し、デフォルトの固定位置にスキル・リリース補助制御オブジェクトを表示するために、グラフィカル・ユーザー・インターフェースのプリセット位置でレンダリングが実行されてもよい。スキル・リリース補助制御オブジェクトは、プリセット位置(即ち、デフォルトの固定されている位置)に登場することが可能であり、それにより、ユーザーは情報交換プロセスで迅速に応答するように促進されることが可能になり、グラフィカル・ユーザー・インターフェースを探すためにユーザーが応答時間を費やしてしまうことを回避する。第2方法では、指のタッチ又はスライドにより第1地点が取得されてもよく、そして、スキル・リリース補助制御オブジェクトを取得し、指のタッチ又はスライドにより変更可能な場所にスキル・リリース補助制御オブジェクトを表示するために、グラフィカル・ユーザー・インターフェース内の第1地点でレンダリングが実行される。スキル・リリース補助制御オブジェクトは、指のタッチ又はスライドにより変更可能な場所に登場することが可能である。従って、指のスライドによりスキルのリリースを速やかに実行する習慣を有するユーザーの要請は非常に良く適合し、そのような要請は、固定位置でスキルのリリースを実行する習慣を有し且つスキルのリリースを実行する際に不変の制御領域を意図するユーザーの要請とは異なり、このようにしてユーザーは情報交換プロセスで速やかに応答するように促され、グラフィカル・ユーザー・インターフェースを探すためにユーザーが応答時間を費やしてしまうことを回避する。
【００６２】
ここで、第1方法が一例として使用される。図3に示されるように、グラフィカル・ユーザー・インターフェースのスキル・オペレーション・エリア40において、スキル・オブジェクト1に適用されるスキル・リリースオペレーション・ジェスチャが取得され、スキル・リリース補助制御オブジェクトを取得するために、レンダリングが実行される。スキル・リリース補助制御オブジェクトは、スキル・リリース制御ハロー・オブジェクト41と、仮想ジョイスティック・オブジェクト42とを有する。その後、スキル・リリース制御オペレーションがトリガーされ、それにより、スキル・リリース制御ハロー・オブジェクト41の位置は不変のまま残り、スキル・インジケータ・オブジェクト43により指定されるスキル・リリース可能レンジは、スキル・リリース制御ハロー・オブジェクト41が配置されるエリアによって完全にカバーされる。
【００６３】
具体的には、図3に示されるように、スキル・リリース制御ハロー・オブジェクト41は、ホイールの形状を有しホイールと言及されても良く；仮想ジョイスティック・オブジェクト42は円の形状又は環の形状を有しジョイスティックと言及されても良く；スキル・インジケータ・オブジェクト43はホイールの形状を有しスキル・インジケータと言及されても良い。ここで、本明細書で使用されるスキル・リリース制御ハロー・オブジェクト及び仮想ジョイスティック・オブジェクトは、スキル・リリース・コントローラ・オブジェクト及びジョイスティック・オブジェクトの具体例に過ぎないことに、留意すべきである。グラフィカル・ユーザー・インターフェースでレンダリングを実行することにより取得されるスキル・リリース・コントローラ・オブジェクト及びジョイスティック・オブジェクトは、スキル制御を実現するために構成され得るオブジェクトが実現可能である限りにおいて、ホイールの形状、円の形状、リングの形状及びその他の形状を含んでも良く、形状はこれらに限定されない。
【００６４】
図3に示されるUIエフェクト・インターフェースの概略図は、図4に示されるような設定を利用することにより得られる。図4はシステム設定インターフェースの概略図である。ユーザーがホイール登場位置を固定位置に設定するオプションを選択すると、ユーザーの設定に合わせて、以後、図3に示されるUIがレンダリングを実行することにより得られる。UIにおいて、ジョイスティックの中心がホイールの中心から逸脱すると、スキル・リリース制御オペレーションがトリガーされ、それにより、ホイールの位置は不変のまま残り、スキル・インジケータにより指定されるスキル・リリース可能レンジは、ホイールが配置されるエリアによって完全にカバーされる。
【００６５】
ここで、スキル・インジケータ・オブジェクトにより指定されるスキル・リリース可能レンジは、スキル・リリース制御ハロー・オブジェクトが配置されるエリアによって完全にカバーされる。
【００６６】
ステップ303：仮想ジョイスティック・オブジェクト上でドラッグ・オペレーションを検出した場合、それに応じてスキル・オブジェクトのスキル・リリース位置を、グラフィカル・ユーザー・インターフェース内で調整するように制御する。
【００６７】
ステップ304：仮想ジョイスティック・オブジェクトは閾レンジの外にあるか否かを判定し、仮想ジョイスティック・オブジェクトは閾レンジの外にある場合に、補助スキル・インジケータ・オブジェクトを得るために、グラフィカル・ユーザー・インターフェースでレンダリングを実行し、その場合において、補助スキル・インジケータ・オブジェクトにより指定されるスキル・リリース可能レンジは、第1キャラクタ・オブジェクトの探索レンジである。
【００６８】
ここで、図8は閾レンジの具体例を示す。図8において、仮想ジョイスティック・オブジェクト42は、スキル・リリース制御ハロー・オブジェクト41のエッジ(又は縁)に配置され且つ閾レンジ44の外にあり、補助スキル・インジケータ・オブジェクトは扇形インジケータ・オブジェクト(a  fan-shaped  indicator  object)を含み(補助スキル・インジケータ・オブジェクトは、扇形に加えて、円形又は四角形などのような他の形状を有しても良い)、扇形インジケータ・オブジェクトは、上記のスキル・インジケータ・オブジェクト43とは異なり、より小さな攻撃範囲を有し、扇形インジケータ・オブジェクトにより指定されるスキル・リリース可能レンジ内で最高優先度を有するターゲット・キャラクタ・オブジェクトを指定する(そのレンジは、以後、探索レンジ又は敵探索レンジ(an  enemy  searching  range)と言及されても良い)。
【００６９】
ステップ305：ユーザー指リリース・ジェスチャを取得し、探索レンジ内の少なくとも1つの第1キャラクタ・オブジェクトの中から、第2プリセット・ポリシーを満足する第1キャラクタ・オブジェクトを、最高優先度を有するターゲット・キャラクタ・オブジェクトとして選択し、ターゲット・キャラクタ・オブジェクトに関してスキル・リリース・オペレーションを実行する。
【００７０】
ここで、探索レンジ内において、スキル・リリース・オペレーション・ジェスチャにより動かすために仮想ジョイスティック・オブジェクトをドラッグすることにより取得されるスキル・オブジェクトのリリース位置及び/又は方向に従って、ターゲット・キャラクタ・オブジェクトに関してスキル・リリース・オペレーションが実行される。
【００７１】
本発明の実施形態によれば、ユーザーの指が触れた仮想ジョイスティック・オブジェクトは閾レンジの外にあるか否かを判定することにより、ターゲット・キャラクタ・オブジェクトが選択され突き止められ；ユーザーの指が触れた仮想ジョイスティック・オブジェクトは閾レンジの外にあるという判定結果である場合に、補助スキル・インジケータ・オブジェクトを取得するために、グラフィカル・ユーザー・インターフェースでレンダリングが実行され、この場合において、補助スキル・インジケータ・オブジェクトにより指定されるスキル・リリース可能レンジは、第1キャラクタ・オブジェクトの探索レンジであり；ユーザー指リリース・ジェスチャが取得され、探索レンジ内の少なくとも1つの第１キャラクタ・オブジェクトの中から、第2プリセット・ポリシーを満足する第1キャラクタ・オブジェクトを、最高優先度を有するターゲット・キャラクタ・オブジェクトとして選択し；探索レンジ内のターゲット・キャラクタ・オブジェクトに関してスキル・リリース・オペレーションが実行される。特定の能力をリリースするそのような方法では、リリースされるスキルが向けられるターゲット・オブジェクトは正確かつ迅速に配置されることが可能になり、操作ミスが回避され、更に、正確な配置に起因してインタラクション処理の処理速度が向上する。
【００７２】
上記の実施形態を分析する。ユーザーの指が触れた仮想ジョイスティック・オブジェクトは閾レンジの外にあるか否かを判定することにより、ターゲット・キャラクタ・オブジェクトを選択して突き止めるために、スキル・リリース制御ハロー・オブジェクト(例えば、ホイール)は2つの閾レンジを有し、仮想ジョイスティック・オブジェクト(例えば、ジョイスティック)は、スキル・リリースを実現するために2つの閾レンジの中で動いてもよい。スキルが最も内側のレンジ内で動く場合、プレーヤのキャラクタ・ターゲットを中心とするスキル・リリース可能レンジの中で、ターゲットは自動的に探索される(或いは、ホイールの中心からジョイスティックへのコネクション・ラインの方向において、リリース・ターゲットが探索される)。ターゲットが存在しない場合、リリースは実行されず、プロンプト(a  prompt)が与えられる。一方、ユーザーが、最も外側の閾レンジ内のエリアの方にジョイスティックをドラッグする場合、ホイールの中心からジョイスティックへのコネクション・ラインを中央線として使用し且つプレーヤのキャラクタ・ターゲットを中心として、扇形又は他の形状を有するスキル・インジケータ(例えば、扇形インジケータ)が表示される。
【００７３】
本発明のこの実施形態の実現では、補助スキル・インジケータ・オブジェクトを得るために、グラフィカル・ユーザー・インターフェースでレンダリングを実行するステップは：スキル・リリース制御ハロー・オブジェクトの中心に対する仮想ジョイスティック・オブジェクトにより形成される第1相対方向を取得し、スキル・インジケータ・オブジェクトの中心点に至るコネクション・ラインを利用することにより、第1ターゲット選択方向ラインを第1相対方向の中で生成するステップ；及び、第1ターゲット選択方向ラインを中心として、或るプリセット角度を加える正及び負のオフセットに基づいて補助スキル・インジケータ・オブジェクトを形成するステップ；を含む。
【００７４】
ここで図9の具体例1に示されるように：グラフィカル・ユーザー・インターフェースのスキル・オペレーション・エリアにおいて、スキル・オブジェクト1に適用されるスキル・リリース・オペレーション・ジェスチャが取得され、スキル・リリース補助制御オブジェクトを得るために、レンダリングが実行される。スキル・リリース補助制御オブジェクトは、スキル・リリース制御ハロー・オブジェクト41と仮想ジョイスティック・オブジェクト42とを含む。その後、スキル・リリース制御オペレーションがトリガーされ、それにより、スキル・リリース制御ハロー・オブジェクト41の位置は不変のまま残り、スキル・インジケータ・オブジェクト43により指定されるスキル・リリース可能レンジは、スキル・リリース制御ハロー・オブジェクト41が配置されるエリアによって完全にカバーされる。
【００７５】
具体的には、図9に示されるように、スキル・リリース制御ハロー・オブジェクト41は、ホイールの形状を有しホイールと言及されても良く；仮想ジョイスティック・オブジェクト42は円の形状又は環の形状を有しジョイスティックと言及されても良く；スキル・インジケータ・オブジェクト43はホイールの形状を有しスキル・インジケータと言及されてもよい。
【００７６】
ユーザーの指が触れた仮想ジョイスティック・オブジェクトは閾レンジの外にある場合、図9における扇形インジケータ・オブジェクト45のような補助スキル・インジケータ・オブジェクトを得るために、グラフィカル・ユーザー・インターフェースでレンダリングが実行される。扇形インジケータ・オブジェクト45は、第1ターゲット選択方向ライン451を有する。第1ターゲット選択方向ライン451を中心として、プリセット角度「a」を加える正及び負のオフセットに基づいて、扇形インジケータ・オブジェクト45が形成される。図9において、人物ｆ1は味方のメンバーである。
【００７７】
本発明のこの実施形態の実現では、本方法は：仮想ジョイスティック・オブジェクトの位置がスキル・リリース制御ハロー・オブジェクトの中心に対して変動したことが検出される度に、第1相対方向を第2相対方向にリフレッシュ(又は更新)し、スキル・インジケータ・オブジェクトの中心点に至るコネクション・ラインを利用することにより、第2ターゲット選択方向ラインを第2相対方向の中で生成するステップ；及び、第2ターゲット選択方向ラインまでの垂直距離が最短である第1キャラクタ・オブジェクトを、最高優先度を有するターゲット・オブジェクトとして選択し、ターゲット・キャラクタ・オブジェクトを強調(又はハイライト)するステップであって、仮想ジョイスティック・オブジェクトが移動する度にターゲット・キャラクタ・オブジェクトを再決定及びリフレッシュし、リフレッシュにより得られる新たなターゲット・キャラクタ・オブジェクトを強調するステップ；を更に有する。
【００７８】
ここで、図10の具体例2に示されるように：グラフィカル・ユーザー・インターフェースのスキル・オペレーション・エリアにおいて、スキル・オブジェクト1に適用されるスキル・リリース・オペレーション・ジェスチャが取得され、スキル・リリース補助制御オブジェクトを得るために、レンダリングが実行される。スキル・リリース補助制御オブジェクトは、スキル・リリース制御ハロー・オブジェクト41と仮想ジョイスティック・オブジェクト42とを含む。その後、スキル・リリース制御オペレーションがトリガーされ、それにより、スキル・リリース制御ハロー・オブジェクト41の位置は不変のまま残り、スキル・インジケータ・オブジェクト43により指定されるスキル・リリース可能レンジは、スキル・リリース制御ハロー・オブジェクト41が配置されるエリアによって完全にカバーされる。
【００７９】
図9及び図10に示されているものを比較すると、仮想ジョイスティック・オブジェクト42がスキル・リリース制御ハロー・オブジェクト41に対して移動した後に、第1ターゲット選択方向ライン451は、現在の第2ターゲット選択方向ライン452へリフレッシュされる必要がある。この場合、扇形インジケータ・オブジェクト45は、リフレッシュにより得られる第2ターゲット選択方向ライン452を有する。第2ターゲット選択方向ライン452を中心として、プリセット角度「a」を加える正及び負のオフセットに基づいて、扇形インジケータ・オブジェクト45が形成される。図10では、人間f1は味方のメンバーであり、人間g1及びg2は敵方のメンバーである。
【００８０】
グラフィカル・ユーザー・インターフェースにおけるマン・マシン・インタラクションに基づいて制御を実行するプロセスにより、様々なインタラクション・モードを動作させるために、1対1、1対多及び多対多の形式で、多数のユーザーによる様々なグループの形成がサポートされている。従って、様々なインタラクション結果が得られる。様々なインタラクション・モードは、複数のオンライン・ユーザー間の対戦モード(a  versus  mode)を含み、更に、インターネット接続によらないオフライン対戦モードを含む。
【００８１】
複数のユーザー間の対戦モード及びインターネットに接続していないオフライン対戦モードは何れも図3、図5、図8、図9及び図10に示されるUIsに適用可能である。ここで、図3、図5、図8、図9及び図10に示されるUIsは、具体的には画像プロセッサである端末デバイスのプロセッサによるレンダリングにより取得されることに留意すべきである。これは単なる具体例に過ぎない。具体例は、ゲームにおける様々な人員配備シナリオ(different  personnel  deployment  scenarios)に適用可能であり、例えば、2パーティの配備される人員数は1対1、3対3或いは5対5であってもよく、また、例えば、配備される人員数が40対20又は30対60のように、ゲームの中で2パーティの配備される人員数が異なるシナリオにも適用可能であり、固定位置にあるホイールを利用することでスキル・リリース位置及び方向が決定されるゲームのモードを動作させても良い。例えば、複数のオンライン・ユーザー間の対戦モードの場合、複数のユーザーは異なるグループにグループ分けされ、各グループは少なくとも1人のグループ・メンバを含み、異なるグループは、少なくとも、第1グループ(例えば、味方グループ)及び第2グループ(例えば、敵方グループ)としてマーキングされる。味方グループに1人の人員しか存在せず、敵方グループも1人の人員しか存在しない場合、それは上記の「1対1」モードである。味方グループに3人の人員しか存在せず、敵方グループも3人の人員しか存在しない場合、それは上記の「3対3」モードである。味方グループに5人の人員しか存在せず、敵方グループも5人の人員しか存在しない場合、それは上記の「5対5」モードである。明らかに、敵方グループ及び味方グループに関し、同数の人員を配備することは必須ではなく、異なる数の人員が配備されて良い。
【００８２】
本発明のこの実施形態の実現では、探索レンジ内の少なくとも1つの第1キャラクタ・オブジェクトの中から、第2プリセット・ポリシーを満足する第1キャラクタ・オブジェクトを、最高優先度を有するターゲット・キャラクタ・オブジェクトとして選択するステップは：探索レンジが複数の第1キャラクタ・オブジェクトを含む場合に、第1ターゲット選択方向ラインまでの垂直距離が最短である第1キャラクタ・オブジェクトを、最高優先度を有するターゲット・キャラクタ・オブジェクトとして選択し、ターゲット・キャラクタ・オブジェクトを強調するステップを含んでも良い。
【００８３】
本発明のこの実施形態の実現では、本方法は：ユーザーの指が触れた仮想ジョイスティック・オブジェクトは閾レンジの外にあるという判定結果である場合に、補助スキル・インジケータ・オブジェクトを得るために、グラフィカル・ユーザー・インターフェースでレンダリングを実行するステップであって、補助スキル・インジケータ・オブジェクトにより指定されるスキル・リリース可能レンジは、第1キャラクタ・オブジェクトの探索レンジである、ステップ；及び、ユーザー指リリース・ジェスチャを取得し、探索レンジ内のターゲット・キャラクタ・オブジェクトに関して前記スキル・リリース・オペレーションを実行することを放棄し、ターゲット・キャラクタ・オブジェクトとして使用される第1キャラクタ・オブジェクトが探索レンジから発見されない場合に、第2プロンプト情報を表示するステップであって、第2プロンプト情報は、探索レンジ内に選択可能なターゲット・キャラクタ・オブジェクトが存在しないことを表現するために使用される、ステップ；を更に含んでも良い。
＜実施形態4＞
【００８４】
本発明の実施形態は端末を提供する。グラフィカル・ユーザー・インターフェースを得るために、ソフトウェア・アプリケーションが端末のプロセッサで実行され、レンダリングが端末のディスプレイで実行される。プロセッサ、グラフィカル・ユーザー・インターフェース及びソフトウェア・アプリケーションはゲーム・システムに実装されている。図11に示されるように、端末は：
少なくとも１つの仮想リソース・オブジェクトを得るために、グラフィカル・ユーザー・インターフェースでレンダリングを実行するように構成される第1レンダリング・ユニット51；
グラフィカル・ユーザー・インターフェースの少なくとも１つのスキル・オペレーション・エリアに位置する少なくとも1つのスキル・オブジェクトに関してスキル・リリース・トリガ・ジェスチャを検出した場合に、スキル・リリース補助制御オブジェクトを得るために、グラフィカル・ユーザー・インターフェースでレンダリングを実行するように構成される第1検出ユニット52であって、スキル・リリース補助制御オブジェクトは、スキル・リリース制御ハロー・オブジェクトと、スキル・リリース制御ハロー・オブジェクトの放射状レンジ内に位置する仮想ジョイスティック・オブジェクトとを有する、第1検出ユニット52；
仮想ジョイスティック・オブジェクト上でドラッグ・オペレーションを検出した場合、それに応じてスキル・オブジェクトのスキル・リリース位置を、グラフィカル・ユーザー・インターフェース内で調整するように制御を行うように構成される第2検出ユニット53；及び
仮想ジョイスティック・オブジェクトが閾レンジの外にあるか否かを判定し、仮想ジョイスティック・オブジェクトが閾レンジの外にない場合、ドラッグ・オペレーションについての検出されたリリース・オペレーションに従って、スキル・オブジェクトのスキル・リリース可能レンジ内の少なくとも1つのキャラクタ・オブジェクトの中から、第1プリセット・ポリシーを満足するターゲット・キャラクタ・オブジェクトを選択し、ターゲット・キャラクタ・オブジェクトに関してスキル・リリース・オペレーションを実行するスキル・リリース・ユニット54；
を更に有する端末である。ここで、スキル・リリース可能レンジ内において、スキル・リリース・オペレーション・ジェスチャにより動かすために仮想ジョイスティック・オブジェクトをドラッグすることにより取得されるスキル・オブジェクトのリリース位置及び/又は方向に従って、ターゲット・キャラクタ・オブジェクトに関してスキル・リリース・オペレーションが実行される。
【００８５】
本発明の実施形態の実際のアプリケーションでは、仮想リソース・オブジェクトは、グラフィカル・ユーザー・インターフェース内の様々なタイプのオブジェクトでカバーされている。例えば、ユーザーを表現するユーザー・アバター・アイコン、背景にある建物、木、タワー・ディフェンス等を表現するオブジェクト、ユーザーのステータスを表現するオブジェクト(例えば、ブラッド値又はバイタリティ値)、ユーザーのスキル、イクイップメント等を表現するオブジェクト、ユーザーの位置の変化を制御する方向ボタンオブジェクト、ユーザーによるスキル・リリース中に使用されるレンダリング・オブジェクト等の全てが、本発明の実施形態の「仮想リソース・オブジェクト」の保護範囲に属する。
【００８６】
ここで、第1方法では、スキル・リリース補助制御オブジェクトを取得し、デフォルトの固定位置にスキル・リリース補助制御オブジェクトを表示するために、グラフィカル・ユーザー・インターフェースのプリセット位置でレンダリングが実行される。スキル・リリース補助制御オブジェクトは、プリセット位置(即ち、デフォルトの固定されている位置)に登場することが可能であり、それにより、ユーザーは情報交換プロセスで迅速に応答するように促進されることが可能になり、グラフィカル・ユーザー・インターフェースを探すためにユーザーが応答時間を費やしてしまうことを回避する。第2方法では、指のタッチ又はスライドにより第1地点が取得され、そして、スキル・リリース補助制御オブジェクトを取得し、指のタッチ又はスライドにより変更可能な場所にスキル・リリース補助制御オブジェクトを表示するために、グラフィカル・ユーザー・インターフェース内の第1地点でレンダリングが実行される。スキル・リリース補助制御オブジェクトは、指のタッチ又はスライドにより変更可能な場所に登場することが可能である。従って、指のスライドによりスキルのリリースを速やかに実行する習慣を有するユーザーの要請は非常に良く適合し、そのような要請は、固定位置でスキルのリリースを実行する習慣を有し且つスキルのリリースを実行する際に不変の制御領域を意図するユーザーの要請とは異なり、このようにしてユーザーは情報交換プロセスで速やかに応答するように促され、グラフィカル・ユーザー・インターフェースを探すためにユーザーが応答時間を費やしてしまうことを回避する。
【００８７】
ここで、第1方法が一例として使用される。図3に示されるように、グラフィカル・ユーザー・インターフェースのスキル・オペレーション・エリア40において、スキル・オブジェクト1に適用されるスキル・リリースオペレーション・ジェスチャが取得され、スキル・リリース補助制御オブジェクトを取得するために、レンダリングが実行される。スキル・リリース補助制御オブジェクトは、スキル・リリース制御ハロー・オブジェクト41と、仮想ジョイスティック・オブジェクト42とを有する。その後、スキル・リリース制御オペレーションがトリガーされ、それにより、スキル・リリース制御ハロー・オブジェクト41の位置は不変のまま残り、スキル・インジケータ・オブジェクト43により指定されるスキル・リリース可能レンジは、スキル・リリース制御ハロー・オブジェクト41が配置されるエリアによって完全にカバーされる。
【００８８】
具体的には、図3に示されるように、スキル・リリース制御ハロー・オブジェクト41は、ホイールの形状を有しホイールと言及されても良く；仮想ジョイスティック・オブジェクト42は円の形状又は環の形状を有しジョイスティックと言及されても良く；スキル・インジケータ・オブジェクト43はホイールの形状を有しスキル・インジケータと言及されても良い。ここで、本明細書で使用されるスキル・リリース制御ハロー・オブジェクト及び仮想ジョイスティック・オブジェクトは、スキル・リリース・コントローラ・オブジェクト及びジョイスティック・オブジェクトの具体例に過ぎないことに、留意すべきである。グラフィカル・ユーザー・インターフェースでレンダリングを実行することにより取得されるスキル・リリース・コントローラ・オブジェクト及びジョイスティック・オブジェクトは、スキル制御を実現するために構成され得るオブジェクトが実現可能である限りにおいて、ホイールの形状、円の形状、リングの形状及びその他の形状を含んでも良く、形状はこれらに限定されない。
【００８９】
図3に示されるUIエフェクト・インターフェースの概略図は、図4に示されるような設定を利用することにより得られる。図4はシステム設定インターフェースの概略図である。ユーザーがホイール登場位置を固定位置に設定するオプションを選択すると、ユーザーの設定に合わせて、以後、図3に示されるUIがレンダリングを実行することにより得られる。UIにおいて、ジョイスティックの中心がホイールの中心から逸脱すると、スキル・リリース制御オペレーションがトリガーされ、それにより、ホイールの位置は不変のまま残り、スキル・インジケータにより指定されるスキル・リリース可能レンジは、ホイールが配置されるエリアによって完全にカバーされる。
【００９０】
ここで、スキル・インジケータ・オブジェクトにより指定されるスキル・リリース可能レンジは、スキル・リリース制御ハロー・オブジェクトが配置されるエリアによって完全にカバーされる。
【００９１】
ここで、図5は閾レンジの具体例を示す。図5において、仮想ジョイスティック・オブジェクト42は、閾レンジ44に部分的にオーバーラップし、閾レンジ外ではない。この場合、ユーザー指リリース・ジェスチャが取得され、スキル・リリース可能レンジ内の少なくとも1つのキャラクタ・オブジェクトの中から、第1プリセット・ポリシーを満足するキャラクタ・オブジェクトを、最高優先度を有するターゲット・キャラクタ・オブジェクトとして選択するように、以後のステップが実行される。
【００９２】
ここで、図8は閾レンジの具体例を示す。図8において、仮想ジョイスティック・オブジェクト42は、スキル・リリース制御ハロー・オブジェクト41のエッジに配置され且つ閾レンジ44の外にあり、補助スキル・インジケータ・オブジェクトは扇形インジケータ・オブジェクトを含み(補助スキル・インジケータ・オブジェクトは、扇形に加えて、円形又は四角形などのような他の形状を有しても良い)、扇形インジケータ・オブジェクトは、上記のスキル・インジケータ・オブジェクト43とは異なり、より小さな攻撃範囲を有し、扇形インジケータ・オブジェクトにより指定されるスキル・リリース可能レンジ内で最高優先度を有するターゲット・キャラクタ・オブジェクトを指定する(そのレンジは、以後、探索レンジ又は敵探索レンジと言及されても良い)。
【００９３】
ここで図9の具体例1に示されるように：グラフィカル・ユーザー・インターフェースのスキル・オペレーション・エリアにおいて、スキル・オブジェクト1に適用されるスキル・リリース・オペレーション・ジェスチャが取得され、スキル・リリース補助制御オブジェクトを得るために、レンダリングが実行される。スキル・リリース補助制御オブジェクトは、スキル・リリース制御ハロー・オブジェクト41と仮想ジョイスティック・オブジェクト42とを含む。その後、スキル・リリース制御オペレーションがトリガーされ、それにより、スキル・リリース制御ハロー・オブジェクト41の位置は不変のまま残り、スキル・インジケータ・オブジェクト43により指定されるスキル・リリース可能レンジは、スキル・リリース制御ハロー・オブジェクト41が配置されるエリアによって完全にカバーされる。
【００９４】
ここで、図9及び図10に示されているものを比較すると、図10の具体例2に示されているように、仮想ジョイスティック・オブジェクト42がスキル・リリース制御ハロー・オブジェクト41に対して移動した後に、第1ターゲット選択方向ライン451は、現在の第2ターゲット選択方向ライン452へリフレッシュされる必要がある。この場合、扇形インジケータ・オブジェクト45は、リフレッシュにより得られる第2ターゲット選択方向ライン452を有する。第2ターゲット選択方向ライン452を中心として、プリセット角度「a」を加える正及び負のオフセットに基づいて、扇形インジケータ・オブジェクト45が形成される。
【００９５】
本発明のこの実施形態の実現において、端末は：
ユーザーの指が触れた仮想ジョイスティック・オブジェクトは閾レンジの外にないという判定結果である場合に、ユーザー指リリース・ジェスチャを取得し、スキル・リリース可能レンジ内のターゲット・キャラクタ・オブジェクトに関してスキル・リリース・オペレーションを実行することを放棄し、ターゲット・キャラクタ・オブジェクトがスキル・リリース可能レンジから発見されない場合に、第1プロンプト情報を表示するように構成されるスキル・リリース・キャンセル・ユニットであって、第1プロンプト情報は、スキル・リリース可能レンジ内に選択可能なターゲット・キャラクタ・オブジェクトが存在しないことを表現するために使用される、スキル・リリース・キャンセル・ユニット；
を更に有する。
【００９６】
本発明のこの実施形態の実現において、端末は：
ユーザーの指が触れた仮想ジョイスティック・オブジェクトは閾レンジの外にあるという判定結果である場合に、補助スキル・インジケータ・オブジェクトを得るために、グラフィカル・ユーザー・インターフェースでレンダリングを実行するように構成される第2レンダリング・ユニットであって、補助スキル・インジケータ・オブジェクトにより指定されるスキル・リリース可能レンジは、第1キャラクタ・オブジェクトの探索レンジである、第2レンダリング・ユニット；及び
ユーザー指リリース・ジェスチャを取得し、探索レンジ内の少なくとも1つの第1キャラクタ・オブジェクトの中から、第2プリセット・ポリシーを満足する第1キャラクタ・オブジェクトを、最高優先度を有するターゲット・キャラクタ・オブジェクトとして選択し；探索レンジ内のターゲット・キャラクタ・オブジェクトに関してスキル・リリース・オペレーションを実行するスキル・リリース・ユニット；
を更に有する。
【００９７】
本発明のこの実施形態の実現において、第2レンダリング・ユニットは：
スキル・リリース制御ハロー・オブジェクトの中心に対する仮想ジョイスティック・オブジェクトにより形成される第1相対方向を取得し、スキル・インジケータ・オブジェクトの中心点に至るコネクション・ラインを利用することにより、第1ターゲット選択方向ラインを第1相対方向の中で生成し；及び
第1ターゲット選択方向ラインを中心として、或るプリセット角度を加える正及び負のオフセットに基づいて補助スキル・インジケータ・オブジェクトを形成する；
ように更に構成される。
【００９８】
本発明のこの実施形態の実現において、スキル・リリース・ユニットは：
探索レンジが複数の第1キャラクタ・オブジェクトを含む場合に、第1ターゲット選択方向ラインまでの垂直距離が最短である第1キャラクタ・オブジェクトを、最高優先度を有するターゲット・キャラクタ・オブジェクトとして選択し、ターゲット・キャラクタ・オブジェクトを強調する；
ように更に構成される。
【００９９】
本発明のこの実施形態の実現において、端末は：
仮想ジョイスティック・オブジェクトの位置がスキル・リリース制御ハロー・オブジェクトの中心に対して変動したことが検出される度に、第1相対方向を第2相対方向にリフレッシュし、スキル・インジケータ・オブジェクトの中心点に至るコネクション・ラインを利用することにより、第2ターゲット選択方向ラインを第2相対方向の中で生成するステップ；及び、第2ターゲット選択方向ラインまでの垂直距離が最短である第1キャラクタ・オブジェクトを、最高優先度を有するターゲット・キャラクタ・オブジェクトとして選択し、ターゲット・キャラクタ・オブジェクトを強調するステップであって、仮想ジョイスティック・オブジェクトが移動する度にターゲット・キャラクタ・オブジェクトを再決定及びリフレッシュし、リフレッシュにより得られる新たなターゲット・キャラクタ・オブジェクトを強調するステップ；を行うように構成されるリフレッシュ・ユニット；
を更に含む。
【０１００】
本発明のこの実施形態の実現において、端末は：
ユーザーの指が触れた仮想ジョイスティック・オブジェクトは閾レンジの外にあるという判定結果である場合に、補助スキル・インジケータ・オブジェクトを得るために、グラフィカル・ユーザー・インターフェースでレンダリングを実行するステップであって、補助スキル・インジケータ・オブジェクトにより指定されるスキル・リリース可能レンジは、第1キャラクタ・オブジェクトの探索レンジである、ステップ；及び、ユーザー指リリース・ジェスチャを取得し、探索レンジ内のターゲット・キャラクタ・オブジェクトに関してスキル・リリース・オペレーションを実行することを放棄し、ターゲット・キャラクタ・オブジェクトとして使用される第1キャラクタ・オブジェクトが探索レンジから発見されない場合に、第2プロンプト情報を表示するステップであって、第2プロンプト情報は、探索レンジ内に選択可能なターゲット・キャラクタ・オブジェクトが存在しないことを表現するために使用される、ステップ；を行うように構成されるスキル・リリース・ユニット；
を更に有する。
＜実施形態5＞
【０１０１】
本発明のこの実施形態は端末を提供する。図12に示されるように、端末はディスプレイ61及びプロセッサ62を含む。ディスプレイ61は、グラフィカル・ユーザー・インターフェースを得るために、端末のプロセッサ上でソフトウェア・アプリケーションを実行し、ソフトウェア・アプリケーションでレンダリングを実行するように構成される。グラフィカル・ユーザー・インターフェースは、マン・マシン・インタラクションで制御処理を促進するように構成される。プロセッサ62は、本発明の実施形態における情報処理方法を実行するように構成される。プロセッサ、グラフィカル・ユーザー・インターフェース及びソフトウェア・アプリケーションはゲーム・システムに実装される。
【０１０２】
この実施形態では、端末は：メモリ63、入力デバイス64(例えば、カメラ、マイクロフォン及びヘッドセットを含む収集デバイス等のようなペリフェラル・デバイス；マウス、ジョイスティック又はデスクトップ・コンピュータのキーボード；或いは、ノートブック・コンピュータ又はタブレット・コンピュータの物理的なキーボード又はタッチスクリーン)、出力デバイス65(例えば、スピーカ、ヘッドセット等を含むオーディオ出力デバイス又はビデオ出力デバイス)、バス66及びネットワーキング・デバイス67を更に含む。プロセッサ62、メモリ63、入力デバイス64、ディスプレイ61及びネットワーキング・デバイス67はバス66を利用することにより接続され、バス66は、プロセッサ62、メモリ63、ディスプレイ61及びネットワーキング・デバイス67の間のデータ伝送及び通信のために使用される。
【０１０３】
入力デバイス64は主にユーザーの入力操作を取得するように構成され、入力デバイス64は端末によって異なって良い。例えば、端末がPCである場合、入力デバイス64はマウス又はキーボード等のような入力デバイスであっても良く；端末がスマートフォン又はタブレット・コンピュータ等のようなポータブル・デバイスである場合、入力デバイス64はタッチスクリーンであっても良い。ネットワーキング・デバイス67は、ネットワークを利用することでデータを接続、アップロード及びダウンロードするために多数の端末及びサーバーにより使用され、及び、ネットワークを利用することでデータ伝送を接続及び実行するために多数の端末により使用される。
【０１０４】
サーバーはクラスタ・システム(a  cluster  system)により形成されても良く、様々なユニットの機能を実現するために、複数の機能が統合されても良いし、或いは、複数のユニットの複数の機能が電子デバイス内で別々に提供されても良い。端末又はサーバーの何れかは、少なくとも、データを保存するデータベース及びデータ処理のためのプロセッサを含み、或いは、別個に配置される記憶媒体又はサーバーに配置される記憶媒体を含む。データ処理のためのプロセッサに関し、処理の最中に、マイクロプロセッサ、中央処理ユニット(CPU)、ディジタル信号処理プロセッサ(DSP)又はフィールド・プログラマブル・ゲート・アレイ(FPGA)が実装に使用されても良い。記憶媒体はオペレーション命令を含み、オペレーション命令はコンピュータ実行可能なコードであっても良く、本発明の実施形態における情報処理方法のプロシジャにおけるステップは、そのオペレーション命令を利用することにより実現される。
＜実施形態6＞
【０１０５】
本発明のこの実施形態はコンピュータ記憶媒体を提供する。コンピュータ実行可能命令がコンピュータ記憶媒体に保存され、コンピュータ実行可能命令は本発明の実施形態における情報処理方法を実行するように構成される。
【０１０６】
本発明の実施形態は、一例としての実際のアプリケーション・シナリオを利用することにより、以下に説明される。
【０１０７】
このアプリケーション・シナリオはマルチプレーヤ・オンライン・バトル・アリーナ・ゲーム(Multiplayer  Online  Battle  Arena  Games：MOBA)に関連する。MOBAでは、関連する用語は次のようなものである：1)UIプレーヤ。これはグラフィカル・ユーザー・インターフェースにおけるアイコンである；2)スキル・インジケータ：スキル・リリースを補助するために使用される特殊効果、ハロー(a  halo)又はオペレーション；3)レンズ。これは、ゲームの中でカメラとして理解されても良い；4)ミニ・マップ(mini  map)：大きな地図をスケールダウンしたバージョンのものであり、レーダー・マップ(a  radar  map)として理解されても良く、2つのパーティの情報及び位置はマップに表示される；5)ホイール：スキル・キーが押された場合に、スキル・キー上に表示されるハロー；及び6)仮想ジョイスティック：ホイールにおける操作及び位置決めのための制御部。
【０１０８】
このアプリケーション状況では、本発明のこの実施形態を利用することにより、図13のプロシジャに示されるように(この場合において、第1サークルはインジケータであり、第2サークルは二次的な攻撃範囲であり、第3サークルは敵探索範囲である)、以下の内容が含まれる：
【０１０９】
1.  プレーヤがスキル・キーを押すと、システムが補助的なスペルキャスティング・ホイール(a  supplementary  spellcasting  wheel)を呼び出し、プレーヤの指が触れている仮想ジョイスティックが、システムにより設定されている移動閾値の外にあるか否かを検出する。(図5に示されるように)ジョイスティックが閾レンジの外にはない場合、プレーヤは指をリリースし、システムは、今のところ最高優先度を有するターゲットを求めて、所定の優先度に従ってスキル・リリース可能レンジを探索し、そのターゲットに関してスキル・リリースを実行する(自動敵方探索メカニズムと言及されても良い)。レンジ内にターゲットが存在しない場合、システムは現在のスペルキャスティング(current  spellcasting)を破棄し、「レンジ内に選択可能なターゲットは存在しない」旨をプレーヤに指示する。(図5に示されるように)ジョイスティックが閾レンジの外にある場合、以下の内容2において設定されるポリシーが実行される。
【０１１０】
2.  ジョイスティックが閾レンジの外にある場合(図8)、シーンの中で扇形インジケータが呼び出され、ホイールの中心に対するジョイスティックの位置がシーンに反映され、中心点に至るコネクション・ラインが相対的な方向に描かれ、そのラインはターゲット選択方向ラインである。その方向ラインを中心として、図9に示されるように、正及び負の45度に基づいて90度の扇形が形成される。90度の扇形において、ヒーロー(a  hero)がスキル・ターゲットとして選択され、強調される。レンジ内に複数のヒーローが存在する場合、方向ラインに至る垂直距離が最短であるヒーローが、スキル・ターゲットとして選択され、強調される。
【０１１１】
3.  図10に示されるように、仮想ジョイスティックが動く度に、ターゲットの判定はリフレッシュされ、新たなターゲットが速やかに強調される。この場合、指がリリースされ、リリースされたスキルが、強調されたターゲットに関して実行される。レンジ内にターゲットが存在しない場合、「レンジ内に選択可能なターゲットは存在しない」旨がプレーヤに指示され、スキル・リリースがキャンセルされる。
【０１１２】
図14はこのアプリケーション状況における情報処理方法の具体的なインタラクション(又は相互作用又はやりとり)の概略フローチャートである。図14に示されるように、このアプリケーション・シナリオでは、端末1、端末2及びサーバーが含まれている。ユーザー1は端末1を利用することによりトリガー及び制御を実行し、ユーザー2は端末2を利用することによりトリガー及び制御を実行し、本方法は以下のステップを含む：
【０１１３】
ユーザー1については、ステップ11ないし16が含まれる。
【０１１４】
ステップ11：ユーザー1は、端末1を利用することによりゲーム・システムをトリガーし、識別認証情報を登録し、この場合において、識別認証情報はユーザー名及びパスワードであっても良い。
【０１１５】
ステップ12：端末1は、取得した識別認証情報をサーバー3へ送信し、サーバー3は身元確認を実行し、身元確認が成功した後に、第1グラフィカル・ユーザー・インターフェースを端末1へ返し、この場合において、第1グラフィカル・ユーザー・インターフェースは仮想リソース・オブジェクトを含む。
【０１１６】
ステップ13：(図3におけるSMSメッセージ・オブジェクト等のような)指定された仮想リソース・オブジェクトは、ユーザー1のタッチ・オペレーションに基づいて応答し、ステップ14ないしステップ17の一連の仮想オペレーションを実行することが可能である。
【０１１７】
ステップ14：グラフィカル・ユーザー・インターフェースにおける少なくとも1つのスキル・オペレーション・エリアに位置する少なくとも1つのスキル・オブジェクトに関してスキル・リリース・トリガ・ジェスチャを検出すると、スキル・リリース補助制御オブジェクトを得るために、グラフィカル・ユーザー・インターフェースでレンダリングを実行し、スキル・リリース補助制御オブジェクトは、スキル・リリース制御ハロー・オブジェクトと、スキル・リリース制御ハロー・オブジェクトの放射状レンジ内に位置する仮想ジョイスティック・オブジェクトとを含む。
【０１１８】
ここで、スキル・インジケータ・オブジェクトによって指定されるスキル・リリース可能レンジは、スキル・リリース制御ハロー・オブジェクトが配置されるエリアによって完全にカバーされる。
【０１１９】
ステップ15：仮想ジョイスティック・オブジェクト上でドラッグ・オペレーションを検出した場合、それに応じてスキル・オブジェクトのスキル・リリース位置を、グラフィカル・ユーザー・インターフェース内で調整するように制御する。
【０１２０】
ステップ16：仮想ジョイスティック・オブジェクトが閾レンジの外にあるか否かを判定し、仮想ジョイスティック・オブジェクトが閾レンジの外にない場合、ドラッグ・オペレーションについての検出されたリリース・オペレーションに従って、スキル・オブジェクトのスキル・リリース可能レンジ内の少なくとも1つのキャラクタ・オブジェクトの中から、第1プリセット・ポリシーを満足するターゲット・キャラクタ・オブジェクトを決定し、ターゲット・キャラクタ・オブジェクトに関してスキル・リリース・オペレーションを実行する。
【０１２１】
ステップ17：ステップ14ないし16を実行することにより取得される実行結果をサーバーと同期させ、或いは、サーバーを利用することにより実行結果を端末2へ速やかに転送し、或いは、実行結果を端末2へ直接的に転送し、それにより、端末2を利用することでゲーム・システムにログインしているユーザー2は、ユーザー1の仮想オペレーションに対して応答し、複数の端末間でインタラクションを実現することが可能である。このアプリケーション・シナリオでは、2つの端末間でのインタラクションのみが一例として使用されており、実際のオペレーション中では、複数の端末間のインタラクションは、この例における2つの端末間でのインタラクションに限定されない。
【０１２２】
ユーザー2については、ユーザー1に関し、ステップ21ないしステップ26が含まれる。
【０１２３】
ステップ21：ユーザー2は、端末2を利用することによりゲーム・システムをトリガーし、識別認証情報を登録し、この場合において、識別認証情報はユーザー名及びパスワードであっても良い。
【０１２４】
ステップ22：端末2は、取得した識別認証情報をサーバー3へ送信し、サーバー3は身元確認を実行し、身元確認が成功した後に、第2グラフィカル・ユーザー・インターフェースを端末2へ返し、この場合において、第2グラフィカル・ユーザー・インターフェースは仮想リソース・オブジェクトを含む。
【０１２５】
ステップ23：(図3におけるSMSメッセージ・オブジェクト等のような)指定された仮想リソース・オブジェクトは、ユーザー2のタッチ・オペレーションに基づいて応答し、ステップ24ないしステップ27の一連の仮想オペレーションを実行することが可能である。
【０１２６】
ステップ24：グラフィカル・ユーザー・インターフェースにおける少なくとも1つのスキル・オペレーション・エリアに位置する少なくとも1つのスキル・オブジェクトに関してスキル・リリース・トリガ・ジェスチャを検出すると、スキル・リリース補助制御オブジェクトを得るために、グラフィカル・ユーザー・インターフェースでレンダリングを実行し、スキル・リリース補助制御オブジェクトは、スキル・リリース制御ハロー・オブジェクトと、スキル・リリース制御ハロー・オブジェクトの放射状レンジ内に位置する仮想ジョイスティック・オブジェクトとを含む。
【０１２７】
ここで、スキル・インジケータ・オブジェクトによって指定されるスキル・リリース可能レンジは、スキル・リリース制御ハロー・オブジェクトが配置されるエリアによって完全にカバーされる。
【０１２８】
ステップ25：仮想ジョイスティック・オブジェクト上でドラッグ・オペレーションを検出した場合、それに応じてスキル・オブジェクトのスキル・リリース位置を、グラフィカル・ユーザー・インターフェース内で調整するように制御する。
【０１２９】
ステップ26：仮想ジョイスティック・オブジェクトが閾レンジの外にあるか否かを判定し、仮想ジョイスティック・オブジェクトが閾レンジの外にない場合、ドラッグ・オペレーションについての検出されたリリース・オペレーションに従って、スキル・オブジェクトのスキル・リリース可能レンジ内の少なくとも1つのキャラクタ・オブジェクトの中から、第1プリセット・ポリシーを満足するターゲット・キャラクタ・オブジェクトを決定し、ターゲット・キャラクタ・オブジェクトに関してスキル・リリース・オペレーションを実行する。
【０１３０】
ステップ27：ステップ24ないし26を実行することにより取得される実行結果をサーバーと同期させ、或いは、サーバーを利用することにより実行結果を端末1へ速やかに転送し、或いは、実行結果を端末1へ直接的に転送し、それにより、端末1を利用することでゲーム・システムにログインしているユーザー1は、ユーザー2の仮想オペレーションに対して応答し、複数の端末間でインタラクションを実現することが可能である。このアプリケーションの状況では、2つの端末間でのインタラクションのみが一例として使用されており、実際のオペレーション中では、複数の端末間のインタラクションは、この例における2つの端末間でのインタラクションに限定されない。
【０１３１】
ステップ30：選択的なステップ：ステップ14ないしステップ17により取得される第1のマン・マシン・インタラクション実行結果、及び/又は、ステップ24ないしステップ27により取得される第2のインタラクション実行結果を受信した後に、第1のマン・マシン・インタラクション実行結果及び/又は第2のインタラクション実行結果を、対応する端末に対して同期又は転送する。
【０１３２】
本願で提供される幾つもの実施形態において、開示されるデバイス及び方法は他の仕方で実現されても良いことが理解されるべきである。説明されているデバイスの形態は単なる例示に過ぎない。例えば、ユニットの分け方は、単なる機能的な分け方であり、実際の実現の際には他の分け方であっても良い。例えば、複数のユニット又はコンポーネントが別のシステムに組み合わせられる又は統合されても良いし、或いは、幾つかの特徴が省略される又は実行されなくても良い。更に、構成部分同士の間における図示又は説明される相互の結合又は直接的な結合又は通信コネクションは、何らかのインターフェースを介して実現されても良い。デバイス又はユニット同士の間の間接的な結合又は通信コネクションは、電子的な、機械的な又はその他の形式で実現されても良い。
【０１３３】
別個のパーツとして記述されるユニットは物理的に分離していてもいなくても良く、ユニットとして図示されるパーツは物理的に分離していてもいなくても良く、一箇所に位置していても良く、或いは、複数のネットワーク・ユニットに分散されていても良い。ユニットの全部又は一部は、実施形態の解決手段の課題を達成する実際のニーズに応じて選択されて良い。
【０１３４】
更に、本発明の実施形態における機能ユニットの全てが1つの処理ユニットに統合されても良く、或いは、各ユニットが別々に存在しても良く、或いは、2つ以上のユニットが1つのユニットに統合されても良く、統合されるユニットはハードウェアの形式で実現されても良く、或いは、ソフトウェア機能ユニットに加えてハードウェアの形式で実現されても良い。
【０１３５】
方法の実施形態のステップのうち全部又は一部は、関連するハードウェアを指図するプログラムにより実現されても良いことを、当業者は理解するであろう。プログラムはコンピュータ読み取り可能な記憶媒体に保存されても良い。プログラムが動作する場合、方法の実施形態のステップが実行される。上記の記憶媒体は、プログラム・コードを保存することが可能な任意の媒体を含み、例えば、ポータブル・ストレージ・デバイス、リード・オンリー・メモリ(ROM)、ランダム・アクセス・メモリ(RAM)、磁気ディスク又は光ディスク等である。
【０１３６】
代替的に、統合されるユニットが、ソフトウェア機能モジュールの形式で実現され、独立した製品として販売又は使用される場合、統合されるユニットはコンピュータ読み取り可能な記憶媒体に保存されても良い。そのような理解に基づいて、本発明の実施形態の技術的な解決手段は本質的に、又は既存の技術に対する部分的な寄与は、ソフトウェア製品の形式で実現されて良い。コンピュータ・ソフトウェア製品は、記憶媒体に保存され、そして、本発明の実施形態で説明される方法ステップの全部又は一部を実行するようにコンピュータ・デバイス(パーソナル・コンピュータ、サーバー又はネットワーク・デバイス等であっても良い)を指示する幾つもの命令を含む。上記の記憶媒体は：ポータブル・ストレージ・デバイス、ROM、RAM、磁気ディスク又は光ディスク等のような、プログラム・コードを保存することが可能な任意の媒体を含む。
【０１３７】
上記の説明は本開示の単なる具体的な実現に過ぎず、本開示の保護範囲を限定するようには意図されていない。本開示で開示される技術的な目的の範囲内で当業者により容易に把握される任意の変形又は置換は、本開示の保護範囲内に属する。従って、本開示の保護範囲は特許請求の範囲の保護範囲に委ねられる。
【０１３８】
＜産業上の利用可能性＞
【０１３９】
本発明の実施形態によれば、ユーザーの指が触れた仮想ジョイスティック・オブジェクトは閾レンジの外にあるか否かを判定することにより、ターゲット・キャラクタ・オブジェクトが選択され突き止められ；ユーザーの指が触れた仮想ジョイスティック・オブジェクトは閾レンジの外にないという判定結果である場合に、ユーザー指リリース・ジェスチャが取得され；ドラッグ・オペレーションについての検出されたリリース・オペレーションに従って、スキル・オブジェクトのスキル・リリース可能レンジ内の少なくとも1つのキャラクタ・オブジェクトの中から、第1プリセット・ポリシーを満足するターゲット・キャラクタ・オブジェクトが選択され、ターゲット・キャラクタ・オブジェクトに関してスキル・リリース・オペレーションが実行される。特定の能力をリリースするそのような方法では、リリースされるスキルが向けられるターゲット・オブジェクトは正確かつ迅速に配置されることが可能になり、操作ミスが回避され、更に、正確な配置に起因してインタラクション処理の処理速度が向上する。
【図１】
0006620169.tif 000002
【図２】
0006620169.tif 000003
【図３】
0006620169.tif 000004
【図４】
0006620169.tif 000005
【図５】
0006620169.tif 000006
【図６】
0006620169.tif 000007
【図７】
0006620169.tif 000008
【図８】
0006620169.tif 000009
【図９】
0006620169.tif 000010
【図１０】
0006620169.tif 000011
【図１１】
0006620169.tif 000012
【図１２】
0006620169.tif 000013
【図１３】
0006620169.tif 000014
【図１４】
0006620169.tif 000015